(57)【特許請求の範囲】
【請求項１】
チャネル状態情報（Channel  State  Information：ＣＳＩ）報告を伝送するように構成されている無線伝送／受信ユニット（Wireless  Transmit/Receive  Unit：ＷＴＲＵ）であって、
トランシーバと、
物理下りリンク制御チャネル（Physical  Downlink  Control  Channel：ＰＤＣＣＨ）上で非周期的ＣＳＩ報告リクエストを、前記トランシーバを介して受信するように構成されたプロセッサとを有し、
前記プロセッサは、
前記非周期的ＣＳＩ報告リクエストが受信される前記ＰＤＣＣＨの最後のシンボルと、対応するＣＳＩ報告の送信のための上りリンクチャネルの最初の上りリンクシンボルとの間のタイムギャップを決定し、前記タイムギャップの前記決定はタイミングアドバンス値の考慮を含み、
前記ＷＴＲＵによって使用されるサブキャリアスペーシングに基づいて時間閾値を決定し、
決定された前記タイムギャップが決定された前記時間閾値よりも短いかどうかを判定し、
前記タイムギャップが前記時間閾値よりも短くない場合には、前記非周期的ＣＳＩ報告リクエストに応じて前記ＣＳＩ報告を、前記トランシーバを介して送信するよう構成され、
前記タイムギャップが前記時間閾値よりも短い場合には、前記ＷＴＲＵからの前記ＣＳＩ報告の送信は要求されない、
ＷＴＲＵ。
【請求項２】
前記時間閾値は、さらにＣＳＩ報告帯域幅に基づいて決定される、請求項１に記載のＷＴＲＵ。
【請求項３】
前記時間閾値は、さらに前記ＷＴＲＵによって使用されるいくつかのアンテナポートに基づいて決定される、請求項１又は２に記載のＷＴＲＵ。
【請求項４】
前記時間閾値は、さらにコードブックタイプに基づいて決定される、請求項１から３のいずれか１項に記載のＷＴＲＵ。
【請求項５】
前記上りリンクチャネルは、物理上りリンク共有チャネル（Physical  Uplink  Shared  Channel：ＰＵＳＣＨ）および物理上りリンク制御チャネル（ＰＵＣＣＨ）を含む、請求項１から４のいずれか１項に記載のＷＴＲＵ。
【請求項６】
無線伝送／受信ユニット（Wireless  Transmit/Receive  Unit：ＷＴＲＵ）によって実施される方法であって、
非周期的チャネル状態情報（Channel  State  Information：ＣＳＩ）報告リクエストを物理下りリンク制御チャネル（Physical  Downlink  Control  Channel：ＰＤＣＣＨ）上で受信すること、及び
前記非周期的ＣＳＩ報告リクエストが受信される前記ＰＤＣＣＨの最後のシンボルと、対応するＣＳＩ報告の送信のための上りリンクチャネルの最初の上りリンクシンボルとの間のタイムギャップを決定すること、を含み、
ここで、前記タイムギャップを決定することはタイミングアドバンス値の考慮を含み、
前記方法はさらに、
前記ＷＴＲＵによって使用されるサブキャリアスペーシングに基づいて時間閾値を決定すること、及び
決定された前記タイムギャップが決定された前記時間閾値よりも短いかどうかを判定すること、を含み、
前記タイムギャップが前記時間閾値よりも短くない場合には、前記非周期的ＣＳＩ報告リクエストに応じて前記ＣＳＩ報告を送信し、
前記タイムギャップが前記時間閾値よりも短い場合には、前記ＷＴＲＵからの前記ＣＳＩ報告の送信は要求されない、
方法。
【請求項７】
前記時間閾値は、さらに報告されることになるフィードバックの量に基づいて決定される、請求項６に記載の方法。
【請求項８】
前記ＷＴＲＵは、タイプ１の単一パネルコードブックを採用し、伝送されるＣＳＩ報告は、前記タイプ１の単一パネルコードブックに従うフィードバックを含む、請求項６に記載の方法。
【請求項９】
伝送されることになる前記ＣＳＩは、広帯域周波数粒度に対応する、請求項６に記載の方法。
【請求項１０】
伝送されることになる前記ＣＳＩは、最大４つのＣＳＩ−ＲＳポートに対応する、請求項６に記載の方法。
【請求項１１】
前記時間閾値の前記決定に関連した１つまたは複数のパラメータを、無線リソース制御（Radio  Resource  Control：ＲＲＣ）シグナリングを介して受信することをさらに含む、請求項６に記載の方法。
【請求項１２】
無線通信装置であって、
トランシーバと、
プロセッサとを有し、
前記プロセッサは、
物理下りリンク制御チャネル（Physical  Downlink  Control  Channel：ＰＤＣＣＨ）上で非周期的チャネル状態情報（Channel  State  Information：ＣＳＩ）報告リクエストを、無線伝送／受信ユニット（Wireless  Transmit/Receive  Unit：ＷＴＲＵ）へ前記トランシーバを介して送信し、
前記ＷＴＲＵによって決定されるタイムギャップが時間閾値よりも短くない場合には、前記非周期的ＣＳＩ報告リクエストに応答してＣＳＩ報告を前記ＷＴＲＵから前記トランシーバを介して受信するよう構成され、
前記タイムギャップが前記時間閾値よりも短い場合には、前記ＣＳＩ報告の受信は要求されず、
前記タイムギャップは前記非周期的ＣＳＩ報告リクエストが前記ＷＴＲＵによって受信される前記ＰＤＣＣＨの最後のシンボルと、前記ＷＴＲＵからの対応するＣＳＩ報告の送信のための上りリンクチャネルの最初の上りリンクシンボルとの間のタイムギャップであり、前記タイムギャップはタイミングアドバンス値の考慮を含み、
前記時間閾値は前記ＷＴＲＵによって使用されるサブキャリアスペーシングに基づく、
無線通信装置。
【請求項１３】
前記無線通信装置は、ｇＮＢ又はｇＮＢを構成する複数のネットワークエレメントのうちの１つである、請求項１２に記載の無線通信装置。
【請求項１４】
無線通信装置の方法であって、
物理下りリンク制御チャネル（Physical  Downlink  Control  Channel：ＰＤＣＣＨ）上で非周期的チャネル状態情報（Channel  State  Information：ＣＳＩ）報告リクエストを、無線伝送／受信ユニット（Wireless  Transmit/Receive  Unit：ＷＴＲＵ）へ送信すること、及び
前記ＷＴＲＵによって決定されるタイムギャップが時間閾値よりも短くない場合には、前記非周期的ＣＳＩ報告リクエストに応答してＣＳＩ報告を前記ＷＴＲＵから受信すること、を含み、
前記タイムギャップが前記時間閾値よりも短い場合には、前記ＣＳＩ報告の受信は要求されず、
前記タイムギャップは前記非周期的ＣＳＩ報告リクエストが前記ＷＴＲＵによって受信される前記ＰＤＣＣＨの最後のシンボルと、前記ＷＴＲＵからの対応するＣＳＩ報告の送信のための上りリンクチャネルの最初の上りリンクシンボルとの間のタイムギャップであり、前記タイムギャップはタイミングアドバンス値の考慮を含み、
前記時間閾値は前記ＷＴＲＵによって使用されるサブキャリアスペーシングに基づく、
無線通信装置の方法。
【請求項１５】
前記無線通信装置は、ｇＮＢ又はｇＮＢを構成する複数のネットワークエレメントのうちの１つである、請求項１４に記載の方法。
【発明の詳細な説明】
【関連出願の相互参照】
【０００１】
本出願は２０１７年６月１４日に出願の米国特許仮出願番号第６２／５１９，７３６号の利点および２０１７年９月２９日に出願の米国特許仮出願番号第６２／５６５，６８７号の利点を請求し、その両方の内容は、本明細書で参照することで本明細書に援用される。
【発明の概要】
【０００２】
チャネル状態情報（Channel  State  Information：ＣＳＩ）は、無線伝送／受信ユニット（Wireless  Transmit/Receive  Unit：ＷＴＲＵ）が基地局に対して報告することがある種々のタイプの指標を表すために使用される用語である。一部の例示的な指標には、チャネル品質指標（Channel  Quality  Indicator：ＣＱＩ）、プリコーディング行列指標（Precoding  Matrix  Indicator：ＰＭＩ）、プリコーディング型指標（Precoding  Type  Indicator：ＰＴＩ）およびランク指標（Rank  Indicator：ＲＩ）が挙げられる。ロングタームエボリューション（Long  Term  Evolution：ＬＴＥ）リリース１０では、８レイヤチャネル推定のためのチャネル状態測定を可能にするためにＣＳＩ参照信号（CSI-Reference  Signal：ＣＳＩ−ＲＳ）が導入された。ＣＳＩ−ＲＳの報告は、例えば、発展型ＮｏｄｅＢ（evolved  Node  B：ｅＮＢ）または次世代ＮｏｄｅＢ（generation  Node  B：ｇＮＢ）などの基地局のプリコーディング機能を促進する場合があり、ＷＴＲＵへのプリコードデータまたはその他の伝送に使用される。
【０００３】
ＣＳＩ−ＲＳ伝送は、周期的または非周期的な方式で送られることがある。周期的な方式では、ＣＳＩは、固定の間隔で、または様々な間隔で、所定のリソースで伝送されることがある。非周期的な報告の方式では、ｅＮＢまたはｇＮＢは、ＷＴＲＵに固有の時間インスタンスでＣＳＩを報告するように断続的に命令することがある。下りリンク制御情報（Downlink  Control  Information：ＤＣＩ）を使用して、ｅＮＢまたはｇＮＢは、ＷＴＲＵにＣＳＩパラメータを提供することがあり、該パラメータは、ＣＳＩをいつ算出して伝送するかを算出および／または決定するために使用される。これらのパラメータには、具体的には、ＣＳＩを伝送するための明確な時間またはスケジュールをＷＴＲＵに提供するタイミング関連パラメータを含むことがある。次世代システムでは、ＣＳＩ報告タイミングは、従来のＬＴＥシステムにおけるタイミングよりも短い可能性がある。それにより、ＷＴＲＵは、ＣＳＩを測定、算出、報告する時間が従来のＬＴＥシステムよりも短い場合がある。その結果、対応する報告の伝送前に、ＷＴＲＵがＣＳＩ測定を行うのに利用可能な処理時間がより短い場合があるので、ＷＴＲＵのコストまたは実装の複雑さが増す可能性がある。
【０００４】
ＣＳＩを順応的に構成および報告する方法、装置およびシステムが提供される。方法は、複数のタイプ（マルチタイプ）のＣＳＩ処理時間決定を対象としてもよい。例えば、ＣＳＩ処理パラメータ、システムパラメータ、ＷＴＲＵ能力またはニューメロロジーのセットを使用して、ＣＳＩ処理時間の１つまたは複数のタイプを明示または決定してもよい。
【０００５】
開示する方法は、ＣＳＩ報告タイミングおよび報告タイプに関する制約をさらに対象とする。例えば、システムパラメータ、ＷＴＲＵ能力またはニューメロロジーは、ＣＳＩ−ＲＳ伝送タイミング（以下、図３に示すように、ｘとして表される）またはＣＳＩ報告タイミング（以下、図３に示すように、ｙとして表される）の候補値を決定してもよい。加えてまたは代替的に、ｘまたはｙの候補値は、ＣＳＩ報告タイプおよび構成のサポートセットを明示または決定してもよい。方法はまた、ＣＳＩ報告タイミング、その関連するＣＳＩ報告タイプおよび構成のＷＴＲＵ能力インジケーションも対象とする。
【０００６】
方法はまた、マルチオペレーション向けのセット構成を使用するＣＳＩ報告をトリガする送受信ポイント（Transmission  and  Reception  Point：ＴＲＰ）の動的インジケーションを対象としている。例えば、動作中のＴＲＰのセットインジケーションおよびＣＳＩ報告タイミングインジケーションのための段階的な下りリンク制御情報（ＤＣＩ）がＷＴＲＵに提供され、かつＷＴＲＵによって利用されてもよい。一例では、動作中のＴＲＰのＣＳＩトリガインジケーションのための第１段階ＤＣＩがＷＴＲＵに送信されてよく、ＴＲＰに対する関連するＣＳＩ報告のパラメータのための第２段階ＤＣＩが、ＷＴＲＵに送信されてもよい。複数レベルのＣＳＩ報告タイミング、関連するＣＳＩ報告タイプおよび構成を含むマルチレベルＣＳＩ報告を対象とする方法を、本願明細書で開示する。
【０００７】
ＣＳＩ報告の伝送のための方法、装置およびシステムが提供される。ＷＴＲＵは、物理下りリンク制御チャネル（Physical  Downlink  Control  Channel：ＰＤＣＣＨ）で非周期的なＣＳＩ報告リクエストを受信してもよい。ＷＴＲＵは、非周期的ＣＳＩ報告リクエストが受信されるＰＤＣＣＨの最後のシンボルと、対応する非周期的ＣＳＩ報告の伝送のための所定の上りリンクチャネルの最初の上りリンクシンボルとの間のタイムギャップを決定してもよい。タイムギャップの決定は、タイミングアドバンス値の考慮を含んでもよい。時間閾値が、決定されたタイムギャップよりも短いかどうかに応じて決定が行われてもよい。決定されたタイムギャップが時間閾値よりも長い場合、ＷＴＲＵはＣＳＩ報告を伝送してもよい。決定されたタイムギャップが閾値よりも短い場合、ＷＴＲＵはＣＳＩ報告を伝送しなくてもよい。
【図面の簡単な説明】
【０００８】
より詳細な理解は、添付図面と併せて、例として挙げられる以下の説明から得ることが可能であり、ここで、図中の同じ参照番号は、同じ要素を示す。
【０００９】
【図１Ａ】１つまたは複数の開示する実施形態がその中で実装されてもよい通信システムの一例を示すシステム図である。
【図１Ｂ】一実施形態に従って図１Ａに示す通信システムの中で使用されてもよい無線伝送／受信ユニット（ＷＴＲＵ）の一例を示すシステム図である。
【図１Ｃ】一実施形態に従って図１Ａに示す通信システムの中で使用されてもよい無線アクセスネットワーク（Radio  Access  Network：ＲＡＮ）の一例およびコアネットワーク（Core  Network：ＣＮ）の一例を示すシステム図である。
【図１Ｄ】一実施形態に従って図１Ａに示す通信システムの中で使用されてもよいＲＡＮの別の例およびＣＮの別の例を示すシステム図である。
【図２】チャネル状態情報（ＣＳＩ）報告設定、リソース設定およびリンクの構成の一例を示すブロック図である。
【図３】新無線（New  Radio：ＮＲ）において考えうる非周期的ＣＳＩ参照信号（ＣＳＩ−ＲＳ）伝送および非周期的ＣＳＩ報告タイミングの一例を示す図である。
【図４】一実施形態において示される非周期的ＣＳＩ−ＲＳおよびＣＳＩ報告に基づくＣＳＩ処理時間パラメータの例の伝送タイムスロットを示す図である。
【図５】一実施形態に従うＣＳＩフィードバックを伴う自己完結型スロットの一例を示す図である。
【図６】一実施形態に従う自己完結型ＣＳＩ報告のための無線伝送／受信ユニット（ＷＴＲＵ）プロシージャのフロー図である。
【図７】一実施形態に従う単一のＤＣＩから開始される例示的な複数の非周期的ＣＳＩ報告トリガプロシージャの概略図である。
【図８】一実施形態に従う非周期的マルチレベルＣＳＩ報告処理の一例を示す図である。
【図９】一実施形態に従う非周期的マルチレベルＣＳＩ報告処理の別の例を示す図である。
【図１０】ＣＳＩ報告設定、リソース設定およびリンクの構成の一例の別のブロック図である。
【図１１】一実施形態に従うフレキシブルなＣＳＩ報告の方法の例示的なフロー図である。
【図１２】ＣＳＩ報告タイプのサポートセットの中にリクエストされたＣＳＩがあるかどうかに基づいて行われる決定の別の例示的なフロー図である。
【図１３】ＣＳＩ処理時間と比較して算出されたタイムギャップの長さに基づいて行われる決定のさらに別の例示的なフロー図である。
【発明を実施するための形態】
【００１０】
図１Ａは、１つまたは複数の開示する実施形態がその中で実装されてもよい通信システム１００の一例を示す図である。通信システム１００は、音声、データ、ビデオ、メッセージング、ブロードキャストなどのコンテンツを複数の無線ユーザに提供する複数のアクセスシステムであってよい。通信システム１００は、複数の無線ユーザが、無線帯域幅を含むシステムリソースの共有を通してそのようなコンテンツにアクセスできるようにしてよい。例えば、通信システム１００は、符号分割多重アクセス（Code  Division  Multiple  Access：ＣＤＭＡ）、時分割多重アクセス（Time  Division  Multiple  Access：ＴＤＭＡ）、周波数分割多重アクセス（Frequency  Division  Multiple  Access：ＦＤＭＡ）、直交ＦＤＭＡ（Orthogonal  FDMA：ＯＦＤＭＡ）、単一キャリアＦＤＭＡ（Single-Carrier  FDMA：ＳＣ−ＦＤＭＡ）、ゼロテールユニークワードＤＦＴ拡散ＯＦＤＭ（Zero-Tail  Unique-Word  DFT-Spread  OFDM：ＺＴ  ＵＷ  ＤＴＳ−ｓ  ＯＦＤＭ）、ユニークワードＯＦＤＭ（Unique  Word  OFDM：ＵＷ−ＯＦＤＭ）、リソースブロックフィルタ処理済みＯＦＤＭ、フィルタバンクマルチキャリア（Filter  Bank  Multicarrier：ＦＢＭＣ）などの１つまたは複数のチャネルアクセス法を採用してもよい。
【００１１】
図１Ａに示すように、通信システム１００は、無線伝送／受信ユニット（ＷＴＲＵ）１０２ａ、１０２ｂ、１０２ｃ、１０２ｄと、ＲＡＮ１０４／１１３と、ＣＮ１０６／１１５と、公衆交換電話網（Public  Switched  Telephone  Network：ＰＳＴＮ）１０８と、インターネット１１０と、他のネットワーク１１２とを含んでもよいが、開示する実施形態が、任意の数のＷＴＲＵ、基地局、ネットワーク、またはネットワーク要素を企図することを理解されよう。ＷＴＲＵ１０２ａ、１０２ｂ、１０２ｃ、１０２ｄの各々は、無線環境において動作または通信するように構成されている任意のタイプのデバイスであってよい。例えば、いずれかが「局」または「ＳＴＡ」と呼ばれることがあるＷＴＲＵ１０２ａ、１０２ｂ、１０２ｃ、１０２ｄは、無線信号を伝送または受信するように構成されていてよく、ユーザ端末（User  Equipment：ＵＥ）、移動局、固定またはモバイル加入者ユニット、サブスクリプションベースのユニット、ポケットベル、セルラー電話、携帯情報端末（Personal  Digital  Assistant：ＰＤＡ）、スマートフォン、ラップトップ、ネットブック、パーソナルコンピュータ、無線センサ、ホットスポットまたはＭｉ−Ｆｉデバイス、モノのインターネット（Internet  of  Things：ＩｏＴ）デバイス、腕時計または他のウェアラブルなもの、ヘッドマウントディスプレイ（Head-Mounted  Display：ＨＭＤ）、車両、ドローン、医療デバイスおよびアプリケーション（例えば、遠隔手術）、産業用デバイスおよびアプリケーション（例えば、産業または自動処理チェーンコンテキストで動作するロボットまたは他の無線デバイス）、家庭用電子機器デバイス、商用または産業用無線ネットワーク上で動作するデバイスなどを含んでもよい。ＷＴＲＵ１０２ａ、１０２ｂ、１０２ｃおよび１０２ｄのいずれかは、同義的にＵＥと呼ばれることがある。
【００１２】
通信システム１００はまた、基地局１１４ａまたは基地局１１４ｂを含んでもよい。基地局１１４ａ、１１４ｂの各々は、ＣＮ１０６／１１５、インターネット１１０または他のネットワーク１１２などの１つまたは複数の通信ネットワークへのアクセスを容易にするためにＷＴＲＵ１０２ａ、１０２ｂ、１０２ｃ、１０２ｄの少なくとも１つと無線でインターフェースするように構成された任意のタイプのデバイスであってよい。例えば、基地局１１４ａ、１１４ｂは、送受信機基地局（Base  Transceiver  Station：ＢＴＳ）、ＮｏｄｅＢ、ｅＮｏｄｅＢ、ホームＮｏｄｅＢ、ホームｅＮｏｄｅＢ、ｇＮｏｄｅＢ（ｇＮＢ）、新無線（ＮＲ）ＮｏｄｅＢ、サイトコントローラ、アクセスポイント（Access  Point：ＡＰ）、無線ルータなどであってよい。基地局１１４ａ、１１４ｂはそれぞれ単一の要素として描写されるが、基地局１１４ａ、１１４ｂは、相互接続される任意の数の基地局またはネットワーク要素を含んでもよいことを理解されよう。
【００１３】
基地局１１４ａは、ＲＡＮ１０４／１１３の一部であってもよく、それらＲＡＮは、基地局コントローラ（Base  Station  Controller：ＢＳＣ）、無線ネットワークコントローラ（Radio  Network  Controller：ＲＮＣ）、中継ノードなどの他の基地局またはネットワーク要素（図示せず）も含んでもよい。基地局１１４ａまたは基地局１１４ｂは、セル（図示せず）と呼ばれることがある１つまたは複数のキャリア周波数上で無線信号を伝送または受信するように構成されてよい。これらの周波数は、認可スペクトル、無認可スペクトル、または認可スペクトルと無認可スペクトルとの組合せ内にあってよい。セルは、特定の地理的エリアに、比較的固定される可能性があるか、または時間とともに変化する可能性のある無線サービス用のカバレッジを提供してもよい。セルは、セルセクタにさらに分割されてよい。例えば、基地局１１４ａに関連付けられたセルは、３つのセクタに分割されてもよい。したがって、一実施形態では、基地局１１４ａは、３つの送受信機（すなわち、セルのセクタごとに対して１つずつ）を含んでよい。一実施形態では、基地局１１４ａは、多入力多出力（Multiple-Input  Multiple  Output：ＭＩＭＯ）技術を採用し、セルのセクタごとに複数の送受信機を利用してもよい。例えば、所望の空間的方向で信号を伝送または受信するために、ビームフォーミングが使用されてもよい。
【００１４】
基地局１１４ａ、１１４ｂは、任意の好適な無線通信リンク（例えば、無線周波数（Radio  Frequency：ＲＦ）、マイクロ波、センチメートル波、マイクロメートル波、赤外線（Infrared：ＩＲ）、紫外線（Ultraviolet：ＵＶ）、可視光など）であることがあるエアインターフェース１１６を通じてＷＴＲＵ１０２ａ、１０２ｂ、１０２ｃ、１０２ｄのうちの１つまたは複数と通信してもよい。エアインターフェース１１６は、任意の好適な無線アクセス技術（Radio  Access  Technology：ＲＡＴ）を使用して確立されてよい。
【００１５】
より詳細には、上記のように、通信システム１００は、複数のアクセスシステムであってもよく、かつＣＤＭＡ、ＴＤＭＡ、ＦＤＭＡ、ＯＦＤＭＡ、ＳＣ−ＦＤＭＡなどの１つまたは複数のチャネルアクセススキームを採用してもよい。例えば、ＲＡＮ１０４／１１３内の基地局１１４ａおよびＷＴＲＵ１０２ａ、１０２ｂ、１０２ｃは、ユニバーサルモバイル電気通信システム（Universal  Mobile  Telecommunications  System：ＵＭＴＳ）、ユニバーサル地上無線アクセス（Universal  Terrestrial  Radio  Access：ＵＴＲＡ）などの無線技術を実装してもよく、それにより、広帯域ＣＤＭＡ（Wideband  CDMA：ＷＣＤＭＡ）を使用して、エアインターフェース１１５／１１６／１１７を確立してもよい。ＷＣＤＭＡは、高速パケットアクセス（High-Speed  Packet  Access：ＨＳＰＡ）または発展型ＨＳＰＡ（Evolved  HSPA：ＨＳＰＡ＋）などの通信プロトコルを含んでもよい。ＨＳＰＡは、高速下りリンク（Downlink：ＤＬ）パケットアクセス（High-Speed  Downlink  Packet  Access：ＨＳＤＰＡ）または高速ＵＬパケットアクセス（High-Speed  UL  Packet  Access：ＨＳＵＰＡ）を含んでもよい。
【００１６】
一実施形態では、基地局１１４ａおよびＷＴＲＵ１０２ａ、１０２ｂ、１０２ｃは、発展型ＵＭＴＳ地上波無線アクセス（Evolved  UMTS  Terrestrial  Radio  Access：Ｅ−ＵＴＲＡ）などの無線技術を実装してもよく、それにより、ロングタームエボリューション（ＬＴＥ）またはＬＴＥ−アドバンスト（LTE-Advanced：ＬＴＥ−Ａ）またはＬＴＥ−アドバンストプロ（LTE-Advanced  Pro：ＬＴＥ−Ａ  Ｐｒｏ）を使用して、エアインターフェース１１６を確立してもよい。
【００１７】
一実施形態では、基地局１１４ａおよびＷＴＲＵ１０２ａ、１０２ｂ、１０２ｃは、ＮＲ無線アクセスなどの無線技術を実装してもよく、それにより新無線（ＮＲ）を使用してエアインターフェース１１６を確立してもよい。
【００１８】
一実施形態では、基地局１１４ａおよびＷＴＲＵ１０２ａ、１０２ｂ、１０２ｃは、複数の無線アクセス技術を実装してもよい。例えば、基地局１１４ａおよびＷＴＲＵ１０２ａ、１０２ｂ、１０２ｃは、例えば、デュアルコネクティビティ（Dual  Connectivity：ＤＣ）原理を使用して、ＬＴＥ無線アクセスとＮＲ無線アクセスとを一緒に実装してもよい。したがって、ＷＴＲＵ１０２ａ、１０２ｂ、１０２ｃによって利用されるエアインターフェースは、複数のタイプの無線アクセス技術、または複数のタイプの基地局（例えば、ｅＮＢおよびｇＮＢ）へ／から送られる伝送によって特徴づけられてもよい。
【００１９】
他の実施形態では、基地局１１４ａおよびＷＴＲＵ１０２ａ、１０２ｂ、１０２ｃは、ＩＥＥＥ８０２．１１（すなわち、ワイヤレス・フィデリティ（Wireless  Fidelity：ＷｉＦｉ））、ＩＥＥＥ８０２．１６（すなわち、ワールドワイド・インターオペラビリティ・フォー・マイクロウェーブ・アクセス（Worldwide  Interoperability  for  Microwave  Access：ＷｉＭＡＸ））、ＣＤＭＡ２０００、ＣＤＭＡ２０００  １Ｘ、ＣＤＭＡ２０００  ＥＶ−ＤＯ、暫定規格２０００（Interim  Standard  2000：ＩＳ−２０００）、暫定規格９５（ＩＳ−９５）、暫定規格８５６（ＩＳ−８５６）、モバイル通信用グローバルシステム（Global  System  for  Mobile  communications：ＧＳＭ）、ＧＳＭ進化型高速データレート（Enhanced  Data  rates  for  GSM  Evolution：ＥＤＧＥ）、ＧＳＭ  ＥＤＧＥ（GSM  EDGE  Radio  Access  Network：ＧＥＲＡＮ）などの無線技術を実装してもよい。
【００２０】
図１Ａ内の基地局１１４ｂは、無線ルータ、ホームＮｏｄｅＢ、ホームｅＮｏｄｅＢ、またはアクセスポイントであってもよく、例えば、会社、自宅、車両、キャンパス、産業設備、（例えば、ドローン用の）空中回廊、道路などの局所的エリアでの無線コネクティビティを容易にするために任意の好適なＲＡＴを利用してもよい。一実施形態では、基地局１１４ｂとＷＴＲＵ１０２ｃ、１０２ｄとは、無線ローカルエリアネットワーク（Wireless  Local  Area  Network：ＷＬＡＮ）を確立するためにＩＥＥＥ８０２．１１などの無線技術を実装してもよい。一実施形態では、基地局１１４ｂとＷＴＲＵ１０２ｃ、１０２ｄとは、無線パーソナルエリアネットワーク（Wireless  Personal  Area  Network：ＷＰＡＮ）を確立するためにＩＥＥＥ８０２．１５などの無線技術を実装してもよい。さらに別の実施形態では、基地局１１４ｂとＷＴＲＵ１０２ｃ、１０２ｄとは、セルラーベースのＲＡＴ（例えば、ＷＣＤＭＡ、ＣＤＭＡ２０００、ＧＳＭ、ＬＴＥ、ＬＴＥ−Ａ、ＬＴＥ−Ａ  Ｐｒｏ、ＮＲなど）を利用して、ピコセルまたはフェムトセルを確立してもよい。図１Ａに示すように、基地局１１４ｂは、インターネット１１０への直接接続を有してもよい。したがって、基地局１１４ｂは、ＣＮ１０６／１１５を介してインターネット１１０にアクセスする必要がない場合がある。
【００２１】
ＲＡＮ１０４／１１３は、ＣＮ１０６／１１５と通信していてもよく、そのＣＮは、音声、データ、アプリケーションまたはボイスオーバーインターネットプロトコル（Voice  over  Internet  Protocol：ＶｏＩＰ）サービスをＷＴＲＵ１０２ａ、１０２ｂ、１０２ｃ、１０２ｄのうちの１つまたは複数に提供するように構成される任意のタイプのネットワークであってもよい。データは、異なるスループット要件、レイテンシー要件、誤り耐性要件、信頼性要件、データスループット要件、モビリティ要件などの様々なサービス品質（Quality  of  Service：ＱｏＳ）要件を有し得る。ＣＮ１０６／１１５は、コール制御、請求サービス、モバイル位置情報サービス、プリペイドコール、インターネットコネクティビティ、ビデオ配信などを提供するか、またはユーザ認証などの高レベルセキュリティ機能を実施してもよい。図１Ａでは図示されていないが、ＲＡＮ１０４／１１３またはＣＮ１０６／１１５は、ＲＡＮ１０４／１１３と同じＲＡＴまたは異なるＲＡＴを採用する他のＲＡＮと直接的にまたは間接的に通信してもよいことを理解されよう。例えば、ＮＲ無線技術を利用する可能性があるＲＡＮ１０４／１１３に接続されることに加えて、ＣＮ１０６／１１５はまた、ＧＳＭ、ＵＭＴＳ、ＣＤＭＡ２０００、ＷｉＭＡＸ、Ｅ−ＵＴＲＡ、またはＷｉＦｉ無線技術を採用する別のＲＡＮ（図示せず）と通信していてもよい。
【００２２】
ＣＮ１０６／１１５はまた、ＷＴＲＵ１０２ａ、１０２ｂ、１０２ｃ、１０２ｄが、ＰＳＴＮ１０８、インターネット１１０、または他のネットワーク１１２にアクセスするためのゲートウェイとして機能してもよい。ＰＳＴＮ１０８は、基本電話サービス（Plain  Old  Telephone  Service：ＰＯＴＳ）を提供する、回線交換電話ネットワークを含んでもよい。インターネット１１０は、伝送制御プロトコル（Transmission  Control  Protocol：ＴＣＰ）、ユーザデータグラムプロトコル（User  Datagram  Protocol：ＵＤＰ）、またはＴＣＰ／ＩＰインターネットプロトコルスイートのインターネットプロトコル（Internet  Protocol：ＩＰ）などの共通通信プロトコルを使用する相互接続されたコンピュータネットワークおよびデバイスのグローバルシステムを含んでもよい。ネットワーク１１２は、他のサービスプロバイダによって所有または動作される、有線または無線通信ネットワークを含んでもよい。例えば、ネットワーク１１２は、ＲＡＮ１０４／１１３と同じＲＡＴまたは異なるＲＡＴを採用することがある、１つまたは複数のＲＡＮに接続された別のＣＮを含んでもよい。
【００２３】
通信システム１００内のＷＴＲＵ１０２ａ、１０２ｂ、１０２ｃ、１０２ｄの一部または全部は、マルチモード能力を含んでもよい（例えば、ＷＴＲＵ１０２ａ、１０２ｂ、１０２ｃ、１０２ｄは、異なる無線リンクを通じて異なる無線ネットワークと通信するための複数の送受信機を含んでもよい）。例えば、図１Ａに示すＷＴＲＵ１０２ｃは、セルラーベースの無線技術を採用することがある基地局１１４ａ、およびＩＥＥＥ８０２無線技術を採用することがある基地局１１４ｂと通信するように構成されてもよい。
【００２４】
図１Ｂは、例示的なＷＴＲＵ１０２を示すシステム図である。図１Ｂに示すように、ＷＴＲＵ１０２は、とりわけ、プロセッサ１１８、送受信機１２０、伝送／受信要素１２２、スピーカ／マイクロホン１２４、キーパッド１２６、ディスプレイ／タッチパッド１２８、非取り外し可能メモリ１３０、取り外し可能メモリ１３２、電源１３４、全地球測位システム（Global  Positioning  System：ＧＰＳ）チップセット１３６、または他の周辺機器１３８を含んでもよい。ＷＴＲＵ１０２は、実施形態と一致したままで、上述の要素の任意の副次的組合せを含んでもよいことを理解されたい。
【００２５】
プロセッサ１１８は、汎用プロセッサ、特殊目的プロセッサ、従来のプロセッサ、デジタル信号プロセッサ（Digital  Signal  Processor：ＤＳＰ）、複数のマイクロプロセッサ、ＤＳＰコアに関連付けられた１つまたは複数のマイクロプロセッサ、コントローラ、マイクロコントローラ、特定用途向け集積回路（Application  Specific  Integrated  Circuit：ＡＳＩＣ）、フィールドプログラマブルゲートアレイ（Field  Programmable  Gate  Array：ＦＰＧＡ）回路、任意の他のタイプの集積回路（Integrated  Circuit：ＩＣ）、状態マシンなどであってもよい。プロセッサ１１８は、信号コーディング、データ処理、電力制御、入力／出力処理、またはＷＴＲＵ１０２が無線環境内で動作することを可能にする任意の他の機能性を実施してもよい。プロセッサ１１８は、伝送／受信要素１２２に結合されることがある、送受信機１２０に結合されてもよい。図１Ｂでは、別個のコンポーネントとしてプロセッサ１１８と送受信機１２０とを示しているが、プロセッサ１１８と送受信機１２０とが、電子パッケージまたはチップ内に一緒に統合されてもよいことを理解されよう。
【００２６】
伝送／受信要素１２２は、エアインターフェース１１６を通じて、基地局（例えば、基地局１１４ａ）に信号を伝送する、またはそこから信号を受信するように構成されてもよい。例えば、一実施形態では、伝送／受信要素１２２は、ＲＦ信号を伝送または受信するように構成されるアンテナであってもよい。一実施形態では、伝送／受信要素１２２は、例えば、ＩＲ、ＵＶ、もしくは可視光信号を伝送または受信するように構成されるエミッタ／検出器であってもよい。さらに別の実施形態では、伝送／受信要素１２２は、ＲＦと光信号との両方を伝送または受信するように構成されてよい。伝送／受信要素１２２は、無線信号の任意の組合せを伝送または受信するように構成されてよいことを理解されよう。
【００２７】
伝送／受信要素１２２は、単一の要素として図１Ｂにおいて図示されているが、ＷＴＲＵ１０２は、任意の数の伝送／受信要素１２２を含んでもよい。より具体的には、ＷＴＲＵ１０２は、ＭＩＭＯ技術を採用してもよい。したがって、一実施形態では、ＷＴＲＵ１０２は、エアインターフェース１１６を通じて無線信号を伝送および受信するための２つ以上の伝送／受信要素１２２（例えば、複数のアンテナ）を含んでもよい。
【００２８】
送受信機１２０は、伝送／受信要素１２２によって伝送されることになる信号を変調し、伝送／受信要素１２２によって受信される信号を復調するように構成されてよい。上記のように、ＷＴＲＵ１０２は、マルチモード能力を有してもよい。したがって、送受信機１２０は、ＷＴＲＵ１０２が、例えば、ＮＲおよびＩＥＥＥ８０２．１１などの複数のＲＡＴを介して通信することを可能にするための複数の送受信機を含んでもよい。
【００２９】
ＷＴＲＵ１０２のプロセッサ１１８は、スピーカ／マイクロホン１２４、キーパッド１２６、またはディスプレイ／タッチパッド１２８（例えば、液晶ディスプレイ（Liquid  Crystal  Display：ＬＣＤ）ディスプレイユニットまたは有機発光ダイオード（Organic  Light-Emitting  Diode：ＯＬＥＤ）ディスプレイユニット）に結合されてもよく、そこからユーザ入力データを受信してもよい。プロセッサ１１８はまた、ユーザデータをスピーカ／マイクロホン１２４、キーパッド１２６、またはディスプレイ／タッチパッド１２８に出力してもよい。加えて、プロセッサ１１８は、非取り外し可能メモリ１３０または取り外し可能メモリ１３２などの任意のタイプの好適なメモリから情報にアクセスし、その中にデータを記憶してもよい。非取り外し可能メモリ１３０には、ランダムアクセスメモリ（Random-Access  Memory：ＲＡＭ）、読み取り専用メモリ（Read-Only  Memory：ＲＯＭ）、ハードディスク、または任意の他のタイプのメモリ記憶デバイスを挙げてよい。取り外し可能メモリ１３２には、加入者識別モジュール（Subscriber  Identity  Module：ＳＩＭ）カード、メモリスティック、セキュアデジタル（Secure  Digital：ＳＤ）メモリカードなどを挙げてよい。別の実施形態では、プロセッサ１１８は、ＷＴＲＵ１０２には物理的には配置されていない、サーバまたはホームコンピュータ（図示せず）上などのメモリから情報にアクセスし、その中にデータを記憶してもよい。
【００３０】
プロセッサ１１８は、電源１３４から電力を得てもよく、ＷＴＲＵ１０２内のその他のコンポーネントへの電力を分配または制御するように構成されてよい。電源１３４は、ＷＴＲＵ１０２に給電するための任意の好適なデバイスであってよい。例えば、電源１３４としては、１つまたは複数の乾電池（例えば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを挙げてもよい。
【００３１】
プロセッサ１１８はまた、ＷＴＲＵ１０２の現在位置に関する位置情報（例えば、経度および緯度）を提供するように構成されることがあるＧＰＳチップセット１３６に結合されてもよい。ＧＰＳチップセット１３６からの情報に加えて、またはその代わりに、ＷＴＲＵ１０２は、基地局（例えば、基地局１１４ａ、１１４ｂ）からエアインターフェース１１６を通じて位置情報を受信するか、または２つ以上の近くの基地局から受信している信号のタイミングに基づいて、その位置を特定してもよい。ＷＴＲＵ１０２は、実施形態と一致したままで任意の好適な位置特定方法によって位置情報を取得してもよいことを理解されるであろう。
【００３２】
プロセッサ１１８はさらに、追加の特徴、機能性、もしくは有線または無線コネクティビティを提供する１つまたは複数のソフトウェアまたはハードウェアモジュールを含むことができる他の周辺機器１３８に結合されてもよい。例えば、周辺機器１３８としては、加速度計、ｅ−コンパス、衛星送受信機、デジタルカメラ（写真またはビデオ用）、ユニバーサルシリアルバス（Universal  Serial  Bus：ＵＳＢ）ポート、振動デバイス、テレビジョン送受信機、ハンズフリーヘッドセット、Ｂｌｕｅｔｏｏｔｈ（登録商標）モジュール、周波数変調（Frequency  Modulated：ＦＭ）無線ユニット、デジタル音楽プレーヤ、メディアプレーヤ、ビデオゲームプレーヤモジュール、インターネットブラウザ、バーチャルリアリティまたは拡張現実（Virtual  Reality：ＶＲ／Augmented  Reality：ＡＲ）デバイス、アクティビティトラッカーなどを挙げてもよい。周辺機器１３８は、１つまたは複数のセンサを含んでもよく、そのセンサは、ジャイロスコープ、加速度計、ホール効果センサ、磁力計、方位センサ、近接センサ、温度センサ、時間センサ、ジオロケーションセンサ、高度計、光センサ、タッチセンサ、磁力計、気圧計、ジェスチャセンサ、生体センサ、または湿度センサのうちの１つまたは複数であってもよい。
【００３３】
ＷＴＲＵ１０２は、（例えば、ＵＬ（例えば、伝送用）および下りリンク（例えば、受信用）の両方の特定のサブフレームに関連付けられた）信号の一部または全部が、並行して行われるか、または同時に発生することがある伝送と受信のための全二重無線を含んでいてもよい。全二重無線は、ハードウェア（例えば、チョーク）またはプロセッサ（例えば、別個のプロセッサ（図示せず）またはプロセッサ１１８）を介した信号処理のいずれかを介して自己干渉を小さくするかまたは実質的になくすために干渉管理ユニット１３９を含んでもよい。一実施形態では、ＷＴＲＵ１０２は、（例えば、ＵＬ（例えば、伝送用）または下りリンク（例えば、受信用）のいずれかの特定のサブフレームに関連付けられた）信号の一部または全部の、伝送および受信のための半二重無線を含んでもよい。
【００３４】
図１Ｃは、一実施形態に従うＲＡＮ１０４およびＣＮ１０６を示すシステム図である。上記のように、ＲＡＮ１０４は、Ｅ−ＵＴＲＡ無線技術を採用し、エアインターフェース１１６を通じて、ＷＴＲＵ１０２ａ、１０２ｂ、１０２ｃと通信してよい。ＲＡＮ１０４はまた、ＣＮ１０６とも通信してもよい。
【００３５】
ＲＡＮ１０４は、ｅＮｏｄｅＢ１６０ａ、１６０ｂ、１６０ｃを含むことがあるが、ＲＡＮ１０４は、実施形態と一致したままで、任意の数のｅＮｏｄｅＢを含んでもよいことを理解されるであろう。ｅＮｏｄｅＢ１６０ａ、１６０ｂ、１６０ｃはそれぞれ、エアインターフェース１１６を通じて、ＷＴＲＵ１０２ａ、１０２ｂ、１０２ｃと通信するための１つまたは複数の送受信機を含んでよい。一実施形態では、ｅＮｏｄｅＢ１６０ａ、１６０ｂ、１６０ｃは、ＭＩＭＯ技術を実装してもよい。したがって、ｅＮｏｄｅＢ１６０ａは、例えば、複数のアンテナを使用して、ＷＴＲＵ１０２ａに無線信号を伝送するか、またはＷＴＲＵ１０２ａから無線信号を受信してもよい。
【００３６】
ｅＮｏｄｅＢ１６０ａ、１６０ｂ、１６０ｃのそれぞれは、特定のセル（図示せず）に関連付けられてよく、無線リソース管理決定、ハンドオーバ決定、ＵＬまたはＤＬにおけるユーザのスケジューリングなどを取り扱うように構成されてよい。図１Ｃに示すように、ｅＮｏｄｅＢ１６０ａ、１６０ｂ、１６０ｃは、Ｘ２インターフェースを通じて相互に通信してもよい。
【００３７】
図１Ｃに示すＣＮ１０６は、モビリティ管理エンティティ（Mobility  Management  Entity：ＭＭＥ）１６２と、サービングゲートウェイ（Serving  Gateway：ＳＧＷ）１６４と、パケットデータネットワーク（Packet  Data  Network：ＰＤＮ）ゲートウェイ（またはＰＧＷ）１６６とを含んでもよい。上述の要素のそれぞれが、ＣＮ１０６の一部として示されるが、これらの要素のいずれかが、ＣＮオペレータ以外のエンティティによって所有または動作される場合があることを理解されよう。
【００３８】
ＭＭＥ１６２は、Ｓ１インターフェースを介してＲＡＮ１０４内のｅＮｏｄｅＢ１６２ａ、１６２ｂ、１６２ｃのそれぞれに接続されてよく、制御ノードとして機能してもよい。例えば、ＭＭＥ１６２は、ＷＴＲＵ１０２ａ、１０２ｂ、１０２ｃのユーザを認証すること、ベアラアクティブ化／非アクティブ化、ＷＴＲＵ１０２ａ、１０２ｂ、１０２ｃの初期アタッチの間の特定のサービングゲートウェイの選択などを担当してもよい。ＭＭＥ１６２は、ＲＡＮ１０４とＧＳＭまたはＷＣＤＭＡなどの他の無線技術を採用する他のＲＡＮ（図示せず）との間の切り替えのための制御プレーン機能を提供してもよい。
【００３９】
ＳＧＷ１６４は、Ｓ１インターフェースを介して、ＲＡＮ１０４内のｅＮｏｄｅＢ１６０ａ、１６０ｂ、１６０ｃのそれぞれに接続されてよい。ＳＧＷ１６４は、概して、ユーザデータパケットをＷＴＲＵ１０２ａ、１０２ｂ、１０２ｃへ／からルーティングおよび転送してもよい。ＳＧＷ１６４は、ｅＮｏｄｅＢ間ハンドオーバ中のユーザプレーンのアンカ、ＤＬデータがＷＴＲＵ１０２ａ、１０２ｂ、１０２ｃに対して利用可能な場合のページングのトリガ、ＷＴＲＵ１０２ａ、１０２ｂ、１０２ｃのコンテキストの管理および記憶などの他の機能を実施してよい。
【００４０】
ＳＧＷ１６４は、ＷＴＲＵ１０２ａ、１０２ｂ、１０２ｃに、インターネット１１０などのパケット交換ネットワークへのアクセスを提供し、ＷＴＲＵ１０２ａ、１０２ｂ、１０２ｃとＩＰ対応デバイスとの間の通信を促進することができるＰＧＷ１６６に接続されてよい。
【００４１】
ＣＮ１０６は、他のネットワークとの通信を促進してもよい。例えば、ＣＮ１０６は、ＷＴＲＵ１０２ａ、１０２ｂ、１０２ｃに、ＰＳＴＮ１０８などの回線交換ネットワークへのアクセスを提供し、ＷＴＲＵ１０２ａ、１０２ｂ、１０２ｃと従来の地上通信デバイスとの間の通信を促進してもよい。例えば、ＣＮ１０６は、ＣＮ１０６とＰＳＴＮ１０８との間のインターフェースとして機能するＩＰゲートウェイ（例えば、ＩＰマルチメディアサブシステム（IP  Multimedia  Subsystem：ＩＭＳ）サーバ）を含むか、またはそれと通信してもよい。加えて、ＣＮ１０６は、ＷＴＲＵ１０２ａ、１０２ｂ、１０２ｃに、他のサービスプロバイダによって所有または動作される他の有線または無線ネットワークを含むことがあるその他のネットワーク１１２へのアクセスを提供してもよい。
【００４２】
ＷＴＲＵが無線端末として図１Ａ〜図１Ｄに記載されているが、いくつかの代表的実施形態では、そのような端末が通信ネットワークとの有線通信インターフェースを（例えば、一時的にまたは永続的に）使用する可能性があることが考えられる。
【００４３】
代表的な実施形態では、他のネットワーク１１２は、ＷＬＡＮであってもよい。
【００４４】
インフラストラクチャ基本サービスセット（Basic  Service  Set：ＢＳＳ）モードのＷＬＡＮは、ＢＳＳ向けのアクセスポイント（ＡＰ）とＡＰに関連付けられた１つまたは複数の局（Station：ＳＴＡ）とを有してもよい。ＡＰは、配信システム（Distribution  System：ＤＳ）、またはＢＳＳを出入りするトラフィックを搬送する別のタイプの有線／無線ネットワークへのアクセスまたはインターフェースを有してもよい。ＢＳＳの外部から発信するＳＴＡへのトラフィックは、ＡＰを通して到着してよく、ＳＴＡに送出されてよい。ＢＳＳ外の宛先にＳＴＡから発信されたトラフィックは、それぞれの宛先に配信されるためにＡＰに送信されてもよい。ＢＳＳ内のＳＴＡ間のトラフィックは、ＡＰを通して送られることがあり、例えば、ここで、ソースＳＴＡはＡＰにトラフィックを送信してもよく、ＡＰは宛先ＳＴＡにトラフィックを送出してもよい。ＢＳＳ内のＳＴＡ間のトラフィックは、ピアツーピアトラフィックと見なされるか、またはそう呼ばれることがある。ピアツーピアトラフィックは、ダイレクトリンクセットアップ（Direct  Link  Setup：ＤＬＳ）を用いてソースＳＴＡと宛先ＳＴＡとの間で（例えば、それらの間で直接）送信されてよい。いくつかの代表的な実施形態では、ＤＬＳは、８０２．１１ｅＤＬＳまたは８０２．１１ｚトンネルＤＬＳ（Tunneled  DLS：ＴＤＬＳ）を使用してもよい。独立ＢＳＳ（Independent  BSS：ＩＢＳＳ）モードを使用するＷＬＡＮはＡＰを有しないことがあり、ＩＢＳＳ内のまたはそれを使用するＳＴＡ（例えば、ＳＴＡのすべて）は互いに直接通信してもよい。ＩＢＳＳ通信モードは、本明細書で、場合により「アドホック」通信モードと呼ぶことがある。
【００４５】
８０２．１１ａｃインフラストラクチャ動作モードまたは同様の動作モードを使用するとき、ＡＰは、１次チャネルなどの固定チャネル上でビーコンを伝送してもよい。１次チャネルは、固定幅（例えば、２０ＭＨｚ幅の帯域幅）であるか、またはシグナリングを介して動的に設定される幅であってよい。１次チャネルは、ＢＳＳの動作チャネルであってもよく、ＡＰとの接続を確立するためにＳＴＡによって使用されてよい。いくつかの代表的実施形態では、キャリア検知多重アクセス／衝突回避（Carrier  Sense  Multiple  Access  with  Collision  Avoidance：ＣＳＭＡ／ＣＡ）が、例えば、８０２．１１システム中に実装されてもよい。ＣＳＭＡ／ＣＡでは、ＡＰを含むＳＴＡ（例えば、あらゆるＳＴＡ）が１次チャネルを感知してもよい。１次チャネルが特定のＳＴＡによって感知／検出されるか、またはビジーであると決定される場合、特定のＳＴＡはバックオフしてもよい。１つのＳＴＡ（例えば、ただ１つの局）が、所与のＢＳＳ中で任意の所与の時間に伝送してもよい。
【００４６】
高スループット（High  Throughput：ＨＴ）ＳＴＡは、４０ＭＨｚ幅のチャネルを形成するために、例えば、１次の２０ＭＨｚのチャネルと、隣接するまたは隣接していない２０ＭＨｚのチャネルとの組合せを介した通信用の４０ＭＨｚ幅のチャネルを使用してもよい。
【００４７】
極高スループット（Very  High  Throughput：ＶＨＴ）のＳＴＡは、２０ＭＨｚ、４０ＭＨｚ、８０ＭＨｚ、または１６０ＭＨｚ幅のチャネルをサポートしてもよい。４０ＭＨｚまたは８０ＭＨｚのチャネルは、連続する２０ＭＨｚのチャネルを組み合わせることによって形成されてもよい。１６０ＭＨｚのチャネルは、８つの連続する２０ＭＨｚのチャネルを組み合わせることによって形成されるか、または８０＋８０構成と呼ばれることがある２つの不連続の８０ＭＨｚのチャネルを組み合わせることによって形成されてもよい。８０＋８０構成では、データは、チャネル符号化後に、２つのストリームにデータを分割することができるセグメントパーサを通してパスされてよい。逆高速フーリエ変換（Inverse  Fast  Fourier  Transform：ＩＦＦＴ）処理と時間領域処理とが別々に各ストリームに対して行われてもよい。ストリームは、２つの８０ＭＨｚのチャネル上にマッピングされてよく、データは、伝送ＳＴＡによって伝送されてよい。受信ＳＴＡの受信機では、８０＋８０構成について上記で説明した動作が逆行されてよく、組み合わされたデータが媒体アクセス制御（Medium  Access  Control：ＭＡＣ）に送られてもよい。
【００４８】
８０２．１１ａｆおよび８０２．１１ａｈによってサブ１ＧＨｚ動作モードがサポートされる。チャネル動作帯域幅およびキャリアは、８０２．１１ｎおよび８０２．１１ａｃで使用されるものと比較して８０２．１１ａｆおよび８０２．１１ａｈでは低減される。８０２．１１ａｆは、ＴＶホワイトスペース（TV  White  Space：ＴＶＷＳ）スペクトル中の５ＭＨｚ、１０ＭＨｚ、および２０ＭＨｚの帯域幅をサポートし、８０２．１１ａｈは、非ＴＶＷＳスペクトルを使用して１ＭＨｚ、２ＭＨｚ、４ＭＨｚ、８ＭＨｚ、および１６ＭＨｚの帯域幅をサポートする。代表的実施形態によれば、８０２．１１ａｈは、マクロカバレッジエリア中のＭＴＣデバイスなどのメータ型制御／マシン型通信をサポートしてもよい。ＭＴＣデバイスは、一定の能力である、例えば、ある種のまたは限定された帯域幅のサポート（例えば、サポートのみ）を含む限定された能力を有してもよい。ＭＴＣデバイスは、（例えば、非常に長いバッテリー寿命を維持するために）閾値を上回るバッテリー寿命をもつバッテリーを含んでもよい。
【００４９】
８０２．１１ｎ、８０２．１１ａｃ、８０２．１１ａｆ、および８０２．１１ａｈなどの複数のチャネルおよびチャネル帯域幅をサポートする可能性があるＷＬＡＮシステムは、１次チャネルとして指定される場合があるチャネルを含む。１次チャネルは、ＢＳＳ中のすべてのＳＴＡによってサポートされる最大の共通動作帯域幅に等しい帯域幅を有してもよい。１次チャネルの帯域幅は、ＢＳＳ中で動作するすべてのＳＴＡの中から、最小の帯域幅動作モードをサポートするＳＴＡによって設定または限定されてもよい。８０２．１１ａｈの例では、ＡＰおよびＢＳＳ中の他のＳＴＡが、２ＭＨｚ、４ＭＨｚ、８ＭＨｚ、１６ＭＨｚ、または他のチャネル帯域幅動作モードをサポートする場合でも、１次チャネルは、１ＭＨｚモードをサポートする（例えば、サポートのみをする）ＳＴＡ（例えば、ＭＴＣタイプのデバイス）に対して１ＭＨｚ幅であってもよい。キャリア検知またはネットワーク割振りベクトル（Network  Allocation  Vector：ＮＡＶ）の設定は、１次チャネルのステータスに依存してもよい。例えば（１ＭＨｚ動作モードだけをサポートする）ＳＴＡのために１次チャネルがビジーである場合、周波数帯域の大部分がアイドルのままであり、利用可能であり得る場合であっても、ＡＰに利用可能な周波数帯域全体を伝送することがビジーであると見なされることがある。
【００５０】
米国では、８０２．１１ａｈによって使用される可能性がある利用可能な周波数帯域は、９０２ＭＨｚ〜９２８ＭＨｚである。韓国では、利用可能な周波数帯域は、９１７．５ＭＨｚ〜９２３．５ＭＨｚである。日本では、利用可能な周波数帯域は、９１６．５ＭＨｚ〜９２７．５ＭＨｚである。８０２．１１ａｈのために利用可能な総帯域幅は、国コードに応じて６ＭＨｚ〜２６ＭＨｚである。図１Ｄは、一実施形態に従うＲＡＮ１１３およびＣＮ１１５を示すシステム図である。上記のように、ＲＡＮ１１３はＮＲ無線技術を採用して、エアインターフェース１１６を通じて、ＷＴＲＵ１０２ａ、１０２ｂ、１０２ｃと通信してよい。ＲＡＮ１１３はまた、ＣＮ１１５とも通信してもよい。
【００５１】
ＲＡＮ１１３は、ｇＮＢ１８０ａ、１８０ｂ、１８０ｃを含んでよいが、ＲＡＮ１１３は、実施形態に一致したままで、任意の数のｇＮＢを含んでもよいことを理解されるであろう。ｇＮＢ１８０ａ、１８０ｂ、１８０ｃはそれぞれ、エアインターフェース１１６を通じて、ＷＴＲＵ１０２ａ、１０２ｂ、１０２ｃと通信するための１つまたは複数の送受信機を含んでよい。一実施形態では、ｇＮＢ１８０ａ、１８０ｂ、１８０ｃは、ＭＩＭＯ技術を実装してもよい。例えば、ｇＮＢ１８０ａ、１８０ｂは、ｇＮＢ１８０ａ、１８０ｂ、１８０ｃに信号を伝送し、またはそこから信号を受信するためにビームフォーミングを利用してもよい。したがって、ｇＮＢ１８０ａは、例えば、複数のアンテナを使用して、ＷＴＲＵ１０２ａに無線信号を伝送するか、またはそこから無線信号を受信してもよい。一実施形態では、ｇＮＢ１８０ａ、１８０ｂ、１８０ｃは、キャリアアグリゲーション技術を実装してもよい。例えば、ｇＮＢ１８０ａは、ＷＴＲＵ１０２ａに複数のコンポーネントキャリアを伝送してもよい（図示せず）。これらのコンポーネントキャリアのサブセットは、無認可スペクトル上にあってもよく、それと同時に、残りのコンポーネントキャリアは、認可スペクトル上にあってもよい。一実施形態では、ｇＮＢ１８０ａ、１８０ｂ、１８０ｃは、協調マルチポイント（Coordinated  Multi-Point：ＣｏＭＰ）技術を実装してもよい。例えば、ＷＴＲＵ１０２ａは、ｇＮＢ１８０ａおよびｇＮＢ１８０ｂ（またはｇＮＢ１８０ｃ）から協調伝送を受信してもよい。
【００５２】
ＷＴＲＵ１０２ａ、１０２ｂ、１０２ｃは、スケーラブルなニューメロロジーに関連付けられた伝送を使用してｇＮＢ１８０ａ、１８０ｂ、１８０ｃと通信してもよい。例えば、ＯＦＤＭシンボル間隔またはＯＦＤＭサブキャリア間隔は、異なる伝送、異なるセル、または無線伝送スペクトルの異なる部分ごとに変動してもよい。ＷＴＲＵ１０２ａ、１０２ｂ、１０２ｃは、（例えば、様々な数のＯＦＤＭシンボルを含んでいるか、または変動する長さの絶対時間の間続く）様々なまたはスケーラブルな長さのサブフレームまたは伝送時間間隔（Transmission  Time  Interval：ＴＴＩ）を使用して、ｇＮＢ１８０ａ、１８０ｂ、１８０ｃと通信してもよい。例えば、１５ＫＨｚ、３０ｋＨｚ、６０ｋＨｚまたは１２０ｋＨｚサブキャリア間隔のうちの１つまたは複数を使用して、可変的なサブキャリア間隔が採用されてもよい。
【００５３】
ｇＮＢ１８０ａ、１８０ｂ、１８０ｃは、スタンドアロン構成または非スタンドアロン構成でのＷＴＲＵ１０２ａ、１０２ｂ、１０２ｃと通信するように構成されてよい。スタンドアロン構成では、ＷＴＲＵ１０２ａ、１０２ｂ、１０２ｃは、他のＲＡＮ（例えば、ｅＮｏｄｅＢ１６０ａ、１６０ｂ、１６０ｃなど）にアクセスすることがなくとも、ｇＮＢ１８０ａ、１８０ｂ、１８０ｃと通信してもよい。スタンドアロン構成では、ＷＴＲＵ１０２ａ、１０２ｂ、１０２ｃは、モビリティアンカポイントとしてｇＮＢ１８０ａ、１８０ｂ、１８０ｃのうちの１つまたは複数を利用してもよい。スタンドアロン構成では、ＷＴＲＵ１０２ａ、１０２ｂ、１０２ｃは、無認可帯域中の信号を使用して、ｇＮＢ１８０ａ、１８０ｂ、１８０ｃと通信してもよい。非スタンドアロン構成では、ＷＴＲＵ１０２ａ、１０２ｂ、１０２ｃは、ｇＮＢ１８０ａ、１８０ｂ、１８０ｃと通信し／それに接続しながら、ｅＮｏｄｅＢ１６０ａ、１６０ｂ、１６０ｃなどの別のＲＡＮとも通信し／それにも接続してもよい。例えば、ＷＴＲＵ１０２ａ、１０２ｂ、１０２ｃは、ＤＣ原理を実装して、１つまたは複数のｇＮＢ１８０ａ、１８０ｂ、１８０ｃおよび１つまたは複数のｅＮｏｄｅＢ１６０ａ、１６０ｂ、１６０ｃと実質的に同時に通信してもよい。非スタンドアロン構成では、ｅＮｏｄｅＢ１６０ａ、１６０ｂ、１６０ｃは、ＷＴＲＵ１０２ａ、１０２ｂ、１０２ｃのためのモビリティアンカとして機能してよく、ｇＮＢ１８０ａ、１８０ｂ、１８０ｃは、ＷＴＲＵ１０２ａ、１０２ｂ、１０２ｃをサービングするための追加のカバレッジまたはスループットを提供してもよい。
【００５４】
ｇＮＢ１８０ａ、１８０ｂ、１８０ｃの各々は、特定のセル（図示せず）に関連付けられてよく、無線リソース管理の決定、ハンドオーバの決定、ＵＬまたはＤＬにおけるユーザのスケジューリング、ネットワークスライシングのサポート、デュアルコネクティビティ、ＮＲとＥ−ＵＴＲＡとの間の相互接続、ユーザプレーン機能（User  Plane  Function  ：ＵＰＦ）１８４ａ、１８４ｂに向けたユーザプレーンデータのルーティング、アクセスおよびモビリティ管理機能（Access  and  Mobility  management  Function：ＡＭＦ）１８２ａ、１８２ｂに向けた制御プレーン情報のルーティングなどを取り扱うように構成されてもよい。図１Ｄに示すように、ｇＮＢ１８０ａ、１８０ｂ、１８０ｃは、Ｘｎインターフェースを通じて相互に通信してもよい。
【００５５】
図１Ｄに示すＣＮ１１５は、少なくとも１つのＡＭＦ１８２ａ、１８２ｂと、少なくとも１つのＵＰＦ１８４ａ、１８４ｂと、少なくとも１つのセッション管理機能（Session  Management  Function：ＳＭＦ）１８３ａ、１８３ｂと、場合によっては、データネットワーク（Data  Network：ＤＮ）１８５ａ、１８５ｂとを含んでもよい。上述の要素のそれぞれが、ＣＮ１１５の一部として示されるが、これらの要素のいずれかが、ＣＮオペレータ以外のエンティティによって所有または動作される場合があることを理解されよう。
【００５６】
ＡＭＦ１８２ａ、１８２ｂは、Ｎ２インターフェースを介してＲＡＮ１１３内のｇＮＢ１８０ａ、１８０ｂ、１８０ｃのうちの１つまたは複数に接続されてよく、制御ノードとして機能してもよい。例えば、ＡＭＦ１８２ａ、１８２ｂは、ＷＴＲＵ１０２ａ、１０２ｂ、１０２ｃのユーザを認証することと、ネットワークスライシング（例えば、異なる要件をもつ異なるＰＤＵセッションの扱い）のサポートと、特定のＳＭＦ１８３ａ、１８３ｂを選択することと、登録エリアの管理と、ＮＡＳシグナリングの終了と、モビリティ管理などとを担当してもよい。ネットワークスライシングは、ＷＴＲＵ１０２ａ、１０２ｂ、１０２ｃが利用されているサービスのタイプに基づいて、ＷＴＲＵ１０２ａ、１０２ｂ、１０２ｃのＣＮのサポートをカスタマイズするために、ＡＭＦ１８２ａ、１８２ｂによって使用されてよい。例えば、異なるネットワークスライスは、超高信頼低遅延（Ultra-Reliable  Low  Latency  Communication：ＵＲＬＬＣ）アクセスに依拠するサービス、拡張大規模モバイルブロードバンド（Enhanced  Massive  Mobile  Broadband：ｅＭＢＢ）アクセスに依拠するサービス、マシンタイプコミュニケーション（Machine  Type  Communication：ＭＴＣ）アクセスのサービスなどの異なるユースケース向けに確立されてよい。ＡＭＦ１６２は、ＲＡＮ１１３と、ＬＴＥ、ＬＴＥ−Ａ、ＬＴＥ−Ａ  Ｐｒｏ、またはＷｉＦｉなどの非３ＧＰＰアクセス技術などの他の無線技術を採用する他のＲＡＮ（図示せず）との間で切り替えるための制御プレーン機能を提供してもよい。
【００５７】
ＳＭＦ１８３ａ、１８３ｂは、Ｎ１１インターフェースを介してＣＮ１１５内のＡＭＦ１８２ａ、１８２ｂに接続されてよい。ＳＭＦ１８３ａ、１８３ｂはまた、Ｎ４インターフェースを介してＣＮ１１５内のＵＰＦ１８４ａ、１８４ｂに接続されてもよい。ＳＭＦ１８３ａ、１８３ｂは、ＵＰＦ１８４ａ、１８４ｂを選択および制御し、ＵＰＦ１８４ａ、１８４ｂを通してトラフィックのルーティングを構成してもよい。ＳＭＦ１８３ａ、１８３ｂは、ＵＥのＩＰアドレスを管理し、割り振ること、ＰＤＵセッションを管理すること、ポリシーの実施およびＱｏＳを制御すること、下りリンクデータの通知を提供することなどの他の機能を実施してもよい。ＰＤＵセッションのタイプは、ＩＰベースのもの、非ＩＰベースのもの、イーサネットベースのものなどであってよい。
【００５８】
ＵＰＦ１８４ａ、１８４ｂは、Ｎ３インターフェースを介してＲＡＮ１１３内のｇＮＢ１８０ａ、１８０ｂ、１８０ｃのうちの１つまたは複数に接続されてよく、それにより、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスとの間の通信を促進してもよい。ＵＰＦ１８４、１８４ｂは、パケットをルーティングおよび転送すること、ユーザプレーンのポリシーを強制すること、マルチホームＰＤＵセッションをサポートすること、ユーザプレーンＱｏＳを取り扱うこと、下りリンクパケットをバッファリングすること、モビリティアンカリングを提供することなどの他の機能を実施してもよい。
【００５９】
ＣＮ１１５は、他のネットワークとの通信を促進してもよい。例えば、ＣＮ１１５は、ＣＮ１１５とＰＳＴＮ１０８との間のインターフェースとして機能するＩＰゲートウェイ（例えば、ＩＰマルチメディアサブシステム（ＩＭＳ）サーバ）を含むか、またはそれと通信してもよい。加えて、ＣＮ１１５は、ＷＴＲＵ１０２ａ、１０２ｂ、１０２ｃに、他のサービスプロバイダによって所有または動作される他の有線または無線ネットワークを含むことがあるその他のネットワーク１１２へのアクセスを提供してもよい。一実施形態では、ＷＴＲＵ１０２ａ、１０２ｂ、１０２ｃは、ＵＰＦ１８４ａ、１８４ｂへのＮ３インターフェースおよびＵＰＦ１８４ａ、１８４ｂとＤＮ１８５ａ、１８５ｂとの間のＮ６インターフェースを介して、ＵＰＦ１８４ａ、１８４ｂを通して、ローカルデータネットワーク（ＤＮ）１８５ａ、１８５ｂに接続されてよい。
【００６０】
図１Ａ〜図１Ｄおよび図１Ａ〜図１Ｄの対応する説明に鑑みて、ＷＴＲＵ１０２ａ〜ｄ、基地局１１４ａ〜ｂ、ｅＮｏｄｅＢ１６０ａ〜ｃ、ＭＭＥ１６２、ＳＧＷ１６４、ＰＧＷ１６６、ｇＮＢ１８０ａ〜ｃ、ＡＭＦ１８２ａ〜ａｂ、ＵＰＦ１８４ａ〜ｂ、ＳＭＦ１８３ａ〜ｂ、ＤＮ１８５ａ〜ｂ、または本明細書で説明する任意の他のデバイスのうちの１つまたは複数に関して本明細書で説明する機能のうちの１つまたは複数もしくはすべては、１つまたは複数のエミュレーションデバイス（図示せず）によって実施されてもよい。エミュレーションデバイスは、本明細書で説明する機能のうちの１つまたは複数もしくはすべてをエミュレートするように構成された１つまたは複数のデバイスであってよい。例えば、エミュレーションデバイスは、他のデバイスをテストするか、もしくはネットワークまたはＷＴＲＵ機能をシミュレートするために使用されてよい。
【００６１】
エミュレーションデバイスは、ラボ環境で、またはオペレータネットワーク環境で他のデバイスの１つまたは複数のテストを実施するように設計されてよい。例えば、１つまたは複数のエミュレーションデバイスは、通信ネットワーク内の他のデバイスをテストするために、有線または無線通信ネットワークの一部として完全にまたは部分的に実装または展開されながら、１つまたは複数もしくはすべての機能を実施してもよい。１つまたは複数のエミュレーションデバイスは、有線または無線通信ネットワークの一部として一時的に実装または展開されながら、１つまたは複数もしくはすべての機能を実施してもよい。エミュレーションデバイスは、放送・無線通信を使用してテストするか、またはテストを実施できるようにするために、別のデバイスに直接結合されてもよい。
【００６２】
１つまたは複数のエミュレーションデバイスは、有線または無線通信ネットワークの一部として、実装または展開されることなしに、すべてを含む１つまたは複数の機能を実施してもよい。例えば、エミュレーションデバイスは、１つまたは複数の構成要素のテストを実施するために試験所または展開されていない（例えば、テスト用の）有線または無線通信ネットワークでのテストシナリオで利用されてよい。１つまたは複数のエミュレーションデバイスは、テスト機器であってもよい。データを伝送または受信するために、直接ＲＦ結合、または（例えば、１つまたは複数のアンテナを含み得る）ＲＦ回路を介した無線通信が、エミュレーションデバイスによって使用されてよい。
【００６３】
図２は、一実施形態に従うチャネル状態情報（ＣＳＩ）報告設定、リソース設定およびリンクの例示的な構成のブロック図２００を示す。特に、ＷＴＲＵは、セル、ｅＮｏｄｅＢまたはｇＮｏｄｅＢ（ｇＮＢ）から下りリンク制御情報（ＤＣＩ）を受信することによって１つまたは複数のＣＳＩ測定設定を用いて構成されてもよい。例えば、ＣＳＩ報告設定０  ２０２は、リソース設定０  ２０６である、例えば、ノンゼロ送信電力（Non-Zero  Power：ＮＺＰ）ＣＳＩ−ＲＳリソース、リソース設定１  ２０８である、例えば、ゼロ送信電力（Zero  Power：ＺＰ）ＣＳＩ−ＲＳリソース、および／またはリソース設定２  ２１０である、例えば、ＮＺＰ  ＣＳＩ−ＲＳリソースに、それぞれリンク０、リンク１、またはリンク２を介してリンクしてもよい。加えて、ＣＳＩ報告設定１  ２０４は、リンク３を介してリソース設定０  ２０６に、リンクしてもよい。ＣＳＩ測定設定２１２は、Ｎ≧１個のＣＳＩ報告設定（図２では、Ｎ＝２個）、Ｍ≧１個のリソース設定（図２では、Ｍ＝３個）を提供してもよい。ＣＳＩ測定設定２１２は、ＣＳＩ報告設定と１つまたは複数のリソース設定との間のリンクを提供するかまたは指示してもよい。測定設定２１２は、図２に示すように、Ｎ個のＣＳＩ報告設定と、Ｍ個のリソース設定とをリンクしてもよい。測定設定２１２は、データベースなどの複合データ構造に記憶されるか、ビットマップまたは別のデータ構造などの低複合データ構造として記憶されてよい。
【００６４】
ＣＳＩ報告設定は、例えば非周期的または周期的／半持続的な時間領域動作、例えば少なくともプリコーディング行列指標（ＰＭＩ）およびチャネル品質指標（ＣＱＩ）のための周波数粒度、および、ＣＳＩ報告タイプである、例えばＰＭＩ、ＣＱＩ、ＲＩ、ＣＳＩ−ＲＳリソースインデックス（CSI-RS  Resource  Index：ＣＲＩ）のうち１つまたは複数のものを含んでよい。ＰＭＩが報告されることになっている場合、ＣＳＩ報告設定はＰＭＩタイプ（タイプ１または２）およびコードブック構成も含んでもよい。周波数粒度は、広帯域、サブバンド、および部分帯域のうち少なくとも１つを含み、ここで、広帯域は動作帯域幅の全物理リソースブロック（Physical  Resource  Block：ＰＲＢ）と呼ばれることがあり、部分帯域は動作帯域幅内のＰＲＢのサブセットと呼ばれることがある。ＣＳＩ−ＲＳポートの数は、アンテナの総数未満でなければならない。一実施例では、ＣＳＩ報告は、４つのＣＳＩ−ＲＳポート向けのものであってよい。
【００６５】
コードブックとは、プリコーディング行列のセットを意味してもよい。ＷＴＲＵによるＣＳＩの測定および報告の１つの目的は、ネットワークにチャネル品質の推定および適切なプリコーディング行列の推奨を提供することである。したがって、ＣＳＩ推定および報告は、ＷＴＲＵによるプリコーディング行列選択に関連するものであってよい。異なる伝送条件、より具体的には、異なる伝送モードに使用される、プリコーディング行列のいくつかの異なるセットおよび異なるプリコーディング行列のセット（セットは「コードブック」と呼ばれることもある）があってもよい。プリコーディングは、アナログおよび／またはデジタルベースのものであってもよく、単一ストリームまたは複数ストリームのビームフォーミングを意味してもよく、複数のアンテナまたは単一のアンテナベースのものであってもよい。
【００６６】
コードブックは、タイプ１のコードブックである、例えば標準的解像度ＣＳＩフィードバックまたは単一パネルおよびマルチパネルを含んでもよい。別のタイプ２のコードブックは、非プリコードおよびプリコードＣＳＩ−ＲＳに基づく、ＭＵ−ＭＩＭＯを対象とする高解像度ＣＳＩフィードバックを含んでもよい。
【００６７】
リソース設定は非周期的または周期的／半持続的なものであってもよい時間領域動作、例えば、チャネル測定または干渉測定向けの参照信号（Reference  Symbol：ＲＳ）タイプ、および、各々がＫｓ個のリソース（またはＫｓ個のＣＳＩ−ＲＳリソース）を含む１つまたは複数（Ｓ≧１）のリソースセット、のうち１つまたは複数のものに関する情報を提供してもよい。「Ｋｓ」を使用して、構成されたＣＳＩ−ＲＳリソースの数を示してもよい。ＣＳＩ測定設定は、ＣＳＩ報告設定およびリソース設定のうち少なくとも１つを含む。加えて、ＣＱＩに関して、参照伝送方式（または方法）に対応する設定が提供されてもよい。広帯域ＣＳＩ、部分帯域ＣＳＩおよび／またはサブバンドＣＳＩの周波数粒度のうちの１つまたは複数がサポートされて、コンポーネントキャリアの間のＣＳＩ報告向けに明示されてよい。以下、用語「サブフレーム」および「スロット」は、同じ意味で用いられてよい。
【００６８】
ＬＴＥでは、非周期的ＣＳＩ報告向けに固定のタイミングが使用されている。ＬＴＥにおけるＷＴＲＵは、サブフレームｎで非周期的ＣＳＩトリガを受信して、サブフレームｎ＋ｋで対応するＣＳＩを報告する。ＦＤＤの場合、ｋは４と等しい（ｋ＝４）。この設定は、ＣＳＩ処理時間のワーストケースに基づいて決定されている。新無線（ＮＲ）では、フレキシブルな非周期的ＣＳＩ報告タイミングが使用される。ＮＲでのＷＴＲＵは、スロットｎで非周期的ＣＳＩトリガを受信して、スロットｎ＋ｋで対応するＣＳＩを報告するが、ここで、ｋはフレキシブルな値であり、関連するＤＣＩの中で明示されてよい。例えば、４より小さい値である、ｋ∈｛０、１、２、３｝が、使用されてよい。したがって、より小さなｋ値が使用されるにつれて、ＣＳＩ処理時間は短くなってよい。ＮＲでのＷＴＲＵは、より短い処理時間が原因でリクエストされたＣＳＩを報告しない可能性がある。短いＣＳＩ報告タイミングが原因でリクエストされたＣＳＩをＷＴＲＵが測定できない場合のＷＴＲＵ動作は定義されていない。その結果、ＷＴＲＵとネットワークとの間のシグナリングが未定義のままにされる可能性があるために潜在的な問題が存在する。
【００６９】
図３は、非周期的ＣＳＩ−ＲＳ伝送および非周期的ＣＳＩ報告のタイミングのいくつかの例３００を示す。一実施形態では、これらの例は、新無線（ＮＲ）で適用されてもよい。これらの例は、例えば、スロットｎ−２、ｎ−１、〜ｎ＋５、ｎ＋６のスロットで、非周期的ＣＳＩ−ＲＳおよび非周期的ＣＳＩ報告の１つまたは複数がトリガされ、明示され、またはリクエストされるときに適用されてよい。図３の注釈ｘ＝０およびｘ＝１を用いる実線は、非周期的ＣＳＩ−ＲＳ伝送のタイミングを示す。非周期的ＣＳＩ−ＲＳが、スロット番号ｍである、例えば、ｎ−１、ｎ、ｎ＋２で、トリガされる場合、トリガされた非周期的ＣＳＩ−ＲＳはスロット番号ｍ＋ｘで伝送されてよく、ここで、ｘは関連するＤＣＩの中で明示される。例えば、非周期的ＣＳＩ−ＲＳがスロットｎ＋２でトリガされて、ｘ＝１が関連するＤＣＩの中で明示される場合、トリガされた非周期的ＣＳＩ−ＲＳはスロットｎ＋３（例えばｎ＋２＋１）で伝送されてもよい。
【００７０】
図３の注釈ｙ＝０、ｙ＝１、ｙ＝２およびｙ＝３を用いる点線は、非周期的ＣＳＩ報告のタイミングを示す。非周期的ＣＳＩ報告が、ｎ−１、ｎ、ｎ＋１、ｎ＋２などのスロット番号ｍでトリガされる場合、トリガされた非周期的ＣＳＩ報告はスロット番号ｍ＋ｙで伝送されてよく、ここで、ｙは関連するＤＣＩの中で明示される。例えば、非周期的ＣＳＩ−ＲＳがスロットｎ＋２でトリガされて、ｙ＝２が関連するＤＣＩの中で明示され、したがって、トリガされた非周期的ＣＳＩ−ＲＳはスロットｎ＋４（例えばｎ＋２＋２）で伝送されてよい。ＷＴＲＵは、周期的、半持続的または非周期的ＣＳＩ−ＲＳに基づいて測定されることがある非周期的ＣＳＩを報告するためにトリガされてよい。
【００７１】
図３に示す別の例では、スロットのＤＬパートのスロットｎ−１で、非周期的ＣＳＩ報告がトリガされている。ｘ＝０、および、ｙ＝０の場合は、ＣＳＩ−ＲＳ伝送およびＣＳＩ報告は同じスロットのＵＬパートで送信されてよい。スロットｎでは、例えば、ｘ＝０、および、ｙ＝１の場合に、ＣＳＩ−ＲＳはスロットｎのＵＬパートで送信され、その一方で、ＣＳＩ報告はｎ＋１で行われてよい。サブフレームのＤＬパートとＵＬパートとの間で、ギャップが存在してもよい。スロット番号ｍで受信されたトリガ（またはトリガメッセージ）に対して、対応するＣＳＩ−ＲＳ伝送がスロット番号ｍ＋ｘで送信されるという点に留意すべきである。ＣＳＩ報告に関しては、スロット番号ｍでトリガが受信される場合、対応する報告はスロット番号ｍ＋ｙで送信されてよい。この例は、非限定的実施例と見なされるべきであり、他の定数または変数が記載されている概念から逸脱せずに、追加または削除されてもよい。
【００７２】
本明細書に記載するいくつかの実施例では、タイミングアドバンス（Timing  Advance：ＴＡ）、ＴＡ値、適用されるＴＡ、ＷＴＲＵの受信−伝送（Receive-Transmit：Ｒｘ−Ｔｘ）時間差、Ｒｘ−Ｔｘ時間差、および上りリンク／下りリンク（Uplink：ＵＬ／Downlink：ＤＬ）時間差の用語は、互いに同じ意味で用いられるか、または置き換えられてもよいが、依然として、本明細書で規定するものと一致するものである。用語ＴＲＰ、セル、ｅＮＢ、ネットワークおよびｇＮＢは、本願明細書において同じ意味で用いられることがある。用語ｇＮＢは、５Ｇの基地局または新無線（ＮＲ）基地局を意味することがある。本明細書において、ＵＬおよびＤＬは、伝送方向の非限定的な例として使用される。他の伝送／受信方向である、例えば用語、サイドリンクは、ＵＬまたはＤＬと置き換えられてもよいが、依然として、本明細書で記載される例および実施形態と一致するものである。用語ｇＮＢは、５Ｇ新無線をサポートする３ＧＰＰ  ５Ｇ次世代基地局を意味することがある点に留意すべきである。しかし、ｇＮＢ技術が時間とともに進展することは、当業者にとって明らかなことであり、本開示は、ｇＮＢおよびその等価物に関し、現在または将来において本明細書をもって展開されるものである。
【００７３】
ＷＴＲＵは、受信タイミングである、例えば、セルまたは他のノードの受信ＤＬタイミングまたはＵＬタイミングに基づいて、その受信または伝送タイミングを調整してもよい。例えば、ＷＴＲＵは、所与の１つのセルまたは複数のセルのフレームタイミング、サブフレームタイミング、同期バーストタイミング、スロットタイミングなどのうちの１つまたは複数を使用して、受信タイミングにその受信または伝送タイミングを同期させてもよい。ＷＴＲＵは、同期信号である、例えば、プライマリ同期信号（Primary  Synchronization  Signal：ＰＳＳ）、セカンダリ同期信号（Secondary  Synchronization  Signal：ＳＳＳ）、物理報知チャネル（Physical  Broadcast  Channel：ＰＨＣＨ）信号、同期信号およびＰＢＣＨブロック（Synchronization  Signal  and  PBCH  block：ＳＳ／ＰＢＣＨブロック）、またはそれに関する任意の他の受信信号を使用してそれを行ってもよい。
【００７４】
ＷＴＲＵによる受信タイミングの境界は、ＷＴＲＵの動作、または発振器のドリフトのような他の要素によって時間とともに変化してもよい。したがって、ＷＴＲＵは、その受信または伝送タイミングを調整してもよい。ＵＬ伝送のために、ＷＴＲＵは、タイミングアドバンス（ＴＡ）を適用してもよい。例えば、ＷＴＲＵは、対応するＤＬタイムユニットの開始の前に、適用されるＴＡのようなある程度の時間に基づいて、ＵＬタイムユニットの伝送を始めてもよい。ＷＴＲＵは、ＷＴＲＵが通信することがあるセルまたはＴＲＰからＴＡコマンドを受信してもよい。ＷＴＲＵは、そのＵＬタイミングを調整するかまたは更新するために、１つまたは複数の受信されたＴＡコマンドを適用してもよい。ＷＴＲＵは、ＴＲＰからのランダムアクセス応答（Random  Access  Response：ＲＡＲ）でＴＡを受信してもよい。ＷＴＲＵは、複数のＴＲＰと通信してもよく、それにより２つ以上の記憶されたＴＡ設定を有してもよい。
【００７５】
適用されるＴＡは、そのＵＬタイミングを調整するためにＷＴＲＵが適用するＴＡであってもよく、この際、その調整はそのＤＬタイミングと関連するものであってよい。ＷＴＲＵがＴＲＰからのＴＡコマンドを見逃すことがあるので、適用されるＴＡは、ＴＲＰからＷＴＲＵに伝送される１つ、複数、またはすべてのＴＡコマンドの合計と同じでないこともある。ＴＡコマンド合計は、ＷＴＲＵに伝送されるか、またはＷＴＲＵによって受信される１つ、複数、またはすべてのＴＡコマンドの合計であってよい。一部の例では、ＴＡを使用して、適用されるＴＡまたはＴＡコマンドの合計を表してもよい。ＴＡは、逐次的な信号を介して明示されるか、または実質的に同時にすべてが受信されてもよい。一実施例では、デシベル変更に対するＴＡコマンドは、｛０、１、２、３、４、５、６、７｝から｛−６、−４、−２、０、２、４、６、８｝であってもよい。他のＴＡインジケーションは、いくらか粒度のあるものか、あるいは本質的に可変的なものであってよい。
【００７６】
Ｒｘ−Ｔｘ時間差は、受信タイミングとＷＴＲＵの伝送タイミングの間の時間差を意味してもよい。ＷＴＲＵ  Ｒｘ−Ｔｘ時間差などのＲｘ−Ｔｘ時間差は、適用されるＴＡの値と異なっていてもよい。すなわち、Ｒｘ−Ｔｘ時間差は、ＷＴＲＵの動作、発振器のドリフトまたは適用しているＴＡでのエラーなど、適用されるＴＡのプラスまたはマイナスのオフセットであってもよい。ＷＴＲＵは、そのＲｘ−Ｔｘ時間差が、適用されるＴＡの閾値または許容度値の範囲内であるように調整してもよい。
【００７７】
図４は、一実施形態４００に従う非周期的ＣＳＩ−ＲＳおよびＣＳＩ報告に基づくＣＳＩ処理時間パラメータの例を示す。ＣＳＩ処理時間は、ＷＴＲＵがその中で少なくとも１つのＣＳＩを測定、算出、または決定して報告することができるタイムウィンドウであってよい。本明細書において、用語「ＣＳＩ処理時間」は、ＣＳＩ測定時間、ＣＳＩ測定ウィンドウ、少なくとも１つのＣＳＩ測定のための利用可能な処理時間、ＣＳＩ報告トリガ時間とＣＳＩ報告時間との（時間）ギャップ、ＣＳＩ報告トリガスロットとＣＳＩ報告スロットとの間のギャップ、ＣＳＩ−ＲＳ伝送とその関連するＣＳＩ報告時間との間のギャップ、および、ＣＳＩ報告トリガ時間とＣＳＩ報告時間との間のギャップと同義であってもよい。ＣＳＩ処理時間は、速記でΔＰとして表されてもよい。ギャップ、タイムギャップ、時間差と称する表現は、本願明細書において同じ意味と見なされることがある。非周期的ＣＳＩ−ＲＳは、ＷＴＲＵがスロット番号ｍで、非周期的ＣＳＩ報告トリガを受信する場合に、スロット番号ｍ−ｋの前に伝送された周期的ＣＳＩ−ＲＳまたは半持続的ＣＳＩ−ＲＳのうち最後のＣＳＩ−ＲＳを意味してもよい。ＣＳＩ報告（ＣＳＩ  ｒｅｐｏｒｔ）およびＣＳＩ報告（ＣＳＩ  ｒｅｐｏｒｔｉｎｇ）は、本願明細書において同じ意味で用いられてよい。
【００７８】
ＣＳＩ処理時間は、いくつかのＯＦＤＭシンボルに基づいてもよく、ここで、受信されるＮＲ物理下りリンク制御チャネル（NR  Physical  Downlink  Control  Channel：ＮＲ−ＰＤＣＣＨ）の最後のシンボル（例えば、最後のシンボル位置）と、対応する１つのＣＳＩ報告値または複数のＣＳＩ報告値を搬送することがあるＮＲ物理上りリンク制御チャネル（NR  Physical  Uplink  Control  Channel：ＮＲ−ＰＵＣＣＨ）またはＮＲ物理上りリンク共有チャネル（NR  Physical  Uplink  Shared  Channel：ＮＲ−ＰＵＳＣＨ）の最初のシンボル（例えば、最初のシンボル位置）とが、ＣＳＩ処理時間を決定してもよい。ＮＲ−ＰＤＣＣＨは、非周期的ＣＳＩ報告をトリガすることができるＤＣＩを搬送してもよい。加えて、タイミングアドバンス値が、ＣＳＩ処理時間に対して考慮されてもよい。
【００７９】
複数のタイプのＣＳＩ処理時間が使用されてよい。例えば、第１、第２、第３タイプのＣＳＩ処理時間が、非周期的ＣＳＩ報告およびその関連する非周期的ＣＳＩ−ＲＳ伝送、非周期的ＣＳＩ報告およびその関連する周期的ＣＳＩ−ＲＳ伝送、および、非周期的ＣＳＩ報告およびその関連する半持続的ＣＳＩ−ＲＳ伝送のそれぞれに基づいてよい。その他のＣＳＩ報告タイプも、関連するＣＳＩ処理時間を有してもよい。
【００８０】
関連するＣＳＩ−ＲＳタイプ、上位層シグナリング、ＷＴＲＵ能力、ＣＳＩ−ＲＳ伝送とＣＳＩ報告との間のギャップ、およびいくつかのＣＳＩ処理時間パラメータが、本願明細書において開示されるように、ＣＳＩ処理時間を決定し、提供し、明示し、または構成してもよい。
【００８１】
ＣＳＩ処理時間のこれらのタイプは、関連するＣＳＩ−ＲＳタイプに基づいて決定されてもよく、そのＣＳＩ−ＲＳタイプは、時間領域動作（例えば、周期的、半持続的、および非周期的な）、伝送帯域幅（例えば、広帯域、サブバンド、部分帯域または帯域幅パート）、利用可能な最後のＣＳＩ−ＲＳ伝送の時間位置、関連するＣＳＩ−ＲＳのいくつかのアンテナポート、および、ＣＳＩ−ＲＳの目的（例えば、ＣＳＩ捕捉またはビーム管理）、のうちの少なくとも１つに基づいてもよい。関連するＣＳＩ報告パラメータ（例えば、ＣＲＩの報告またはＰＭＩ／ＣＱＩ／ＲＩの報告）は、ＣＳＩ−ＲＳの理由または目的を決定してもよい。目的は、報告されたフィードバックの量に基づいてもよい。一実施形態では、例えば、ＰＭＩ／ＣＱＩ／ＲＩ、またはＣＲＩ／ＲＩ／ＣＱＩ（例えば、ＰＭＩなしで）のフィードバック量が、ＣＳＩ処理時間を規定してもよい。１つのフィードバック量を報告することは可能であっても、別のフィードバック量は報告されない場合がある。この場合、ＷＴＲＵは、単にフィードバックをドロップするか、またはフィードバック量を調整してよい。
【００８２】
一実施形態では、計算遅延である、例えば、ＣＳＩ処理時間閾値が、パラメータＺ、Ｚ’に応じて変化するものであってよい。閾値は、報告されることになるＣＳＩのタイプおよびサブキャリア間隔に応じて変化するものであってもよい。
【００８３】
ＣＳＩ処理時間のタイプは、上位層シグナリングである、例えばＭＡＣ、ＲＬＣまたはＰＤＣＰシグナリングを介して構成されてもよい。ＷＴＲＵ能力はまた、ＣＳＩ処理時間のタイプを明示するか、または提供してもよい。例えば、ＷＴＲＵは、ＷＴＲＵ能力としてサポートされる１つまたは複数のタイプのＣＳＩ処理時間をＴＲＰに報告してもよく、ＴＲＰは、それに応じて、ＣＳＩ処理時間のタイプを決定し、ＷＴＲＵを構成してもよい。ＷＴＲＵカテゴリが、ＣＳＩ処理時間のタイプを決定してもよい。ＣＳＩ処理時間は、（非周期的）ＣＳＩ−ＲＳが伝送される時間と非周期的ＣＳＩが報告される時間との間のギャップに基づいて決定されてもよい。
【００８４】
ＣＳＩ処理時間は、１つまたは複数のＣＳＩ処理時間パラメータに基づいて決定されてもよい。図４は、非周期的ＣＳＩ−ＲＳおよび非周期的ＣＳＩ報告が使用されるときの、例示的なＣＳＩ処理時間パラメータを示している例４００を示す。図４および以下では、ΔＰはＣＳＩ処理時間を指し、ΔＳ、ΔＱ、ΔＭおよびＴＡは、以下で定義されるその他のＣＳＩ処理時間パラメータを指す。
【００８５】
以下の１つまたは複数のＣＳＩ処理時間パラメータは、ＣＳＩ処理時間（ΔＰ）を決定するために使用されてもよい。パラメータは、例えば、開始時間からの時間デルタ、もしくは、ＷＴＲＵがそこからＣＳＩ報告値またはパラメータを推定、測定、決定することができる伝送された関連するＣＳＩ−ＲＳの参照時間（ｘまたはｍ＋ｘ）の時間位置を含んでもよい。パラメータは、例えば、開始からの時間デルタ、またはＣＳＩ報告がいつ伝送される可能性があるかの参照時間（ｙまたはｍ＋ｙ）の時間位置を含んでもよい。パラメータはまた、非周期的ＣＳＩ−ＲＳまたは非周期的ＣＳＩ報告がトリガされるときの時間位置を含んでもよい。例えば、非周期的ＣＳＩ−ＲＳまたは非周期的ＣＳＩ報告をトリガするＤＣＩをＷＴＲＵが受信する時間位置（ΔＭ）など。別のパラメータは、スロット終端境界とＣＳＩ−ＲＳがそのスロット内で伝送されるときの時間位置との間の時間差（ΔＳ）であってもよい。別のパラメータは、スロット終端境界とＣＳＩ報告がそのスロット内で伝送されるときの時間位置との間の時間差（ΔＱ）を含んでもよい。考えられる別のパラメータは、スロットの中で伝送されるＮＲ物理下りリンク制御チャネル（ＮＲ−ＰＤＣＣＨ）（例えば、ＣＳＩ−ＲＳのトリガを含むＤＣＩを搬送するＮＲ−ＰＤＣＣＨ）の時間位置と、同じスロットの中でＣＳＩ−ＲＳが伝送されるときの時間位置との間の時間差（ΔＭ）であってもよい。考慮される別のパラメータは、適用されるＴＡである、例えば図４のＴＡなどのＴＡ値であってもよい。別のパラメータは、受信タイミングと伝送タイミングとの間の時間差である、例えば図４のＴＡ値と同じ値であっても、または同じ値でなくてもよいＷＴＲＵ  Ｒｘ−Ｔｘ時間差でもよい。ＮＲ−ＰＤＣＣＨの処理時間（ΔＰＤＣＣＨ）もまた、考慮されるパラメータであってもよい。
【００８６】
図４は、３つのスロット４０２〜４０６を示す。各スロットは、ＤＬパート４０８、ギャップ４１０およびＵＬパート４１２を含んでもよい。スロット番号ｍ＋１  ４０４では、非周期的ＣＳＩ−ＲＳ  Ｔｘ用のＤＣＩが、時間４２２で受信される。ＤＣＩが受信されるとき４２２と、ＣＳＩ−ＲＳが伝送される時間４２４との間の期間は、ΔＭ  ４２０として参照される。ＷＴＲＵは、ＣＳＩ−ＲＳが伝送される時間４２４と、ＷＴＲＵがタイミングアドバンスと共にトリガされた非周期的ＣＳＩを報告する時間４２６との間のΔＰ４１４の間にＣＳＩを処理してもよい。時間４２８では、例えば、タイミングアドバンス伝送後に、ＷＴＲＵは非周期的ＣＳＩを実際に伝送する。ＴＡの後の期間はΔＱ４１８として参照される。
【００８７】
ＣＳＩ処理時間パラメータのセットが、ＣＳＩ処理時間を決定するか、またはＣＳＩ処理時間を算出するために使用されてもよい。ＣＳＩ処理時間パラメータのセットは、関連するＣＳＩ−ＲＳタイプ（例えば、周期的、非周期的、または半持続的ＣＳＩ−ＲＳ）に基づいて決定されるＣＳＩ処理時間のタイプに基づいてもよい。例えば、ＣＳＩ処理時間のタイプは、ＣＳＩ処理パラメータの第１セット（｛ｙ｝）、ＣＳＩ処理パラメータの第２セット（｛ｘ、ｙ｝）、および、ＣＳＩ処理パラメータの第３セット（｛ｘ、ｙ、ΔＳ、ΔＱ｝）、に基づいて決定されてもよい。
【００８８】
システムパラメータ（例えば、セルＩＤ、スロットインデックス、無線フレームインデックス、使用されるＳＳブロックの数）、ＷＴＲＵ固有パラメータ（例えば、ＷＴＲＵ−ＩＤ、構成されたＣＳＩ−ＲＳリソースの数など）、ニューメロロジー（例えば、サブキャリア間隔、キャリア周波数、ＴＴＩ長、ＣＰ長など）、スロット構造関連情報（例えば、下りリンクパートのために使用されるシンボルの数、ギャップ、上りリンクパート、下りリンク制御チャネルの位置）、関連するＣＳＩ−ＲＳ伝送の時間位置のために構成される候補値のセット（例えば、ｘ＝｛０、１、２｝の第１セット、ｘ＝｛０｝の第２セット）、ＣＳＩ報告の時間位置のために構成された候補値のセット（例えば、ｙ＝｛０、１、２、３、４｝の第１セット、ｙ＝｛２、４｝の第２セット、ｙ＝｛４｝の第３セット）のパラメータのうち１つまたは複数が、ＣＳＩ処理時間パラメータのセットを決定してもよい。ＣＳＩ処理時間は、先頭シンボルから、例えば、シンボルのサイクリックプレフィックスから算出されてもよい。
【００８９】
ＷＴＲＵ能力が、ＣＳＩ処理時間パラメータのセットを決定してもよい。例えば、ＷＴＲＵは、１つまたは複数のＣＳＩ処理時間パラメータを（例えば、ＷＴＲＵによって、または、ＴＲＰによってＷＴＲＵ向けに）、報告または明示してもよい。加えて、ＷＴＲＵは、ＣＳＩ処理時間決定のために、ＴＲＰによって必要とされるか、または使用されることがあるＣＳＩ処理時間パラメータを報告するように、トリガまたはリクエストされてよい。
【００９０】
スロットレベルが、より小さいシンボルレベル、もしくはより大きいサブフレームまたはフレームレベルと比較して、スロットに基づいてＷＴＲＵがパラメータを考慮できるかどうかを表してもよい。ＷＴＲＵまたはＴＲＰによって認識されているスロットレベルは、１つまたは複数のＣＳＩ処理時間パラメータのセットを決定してもよい。他のパラメータは、スロットレベルの考慮なしで決定されてよい。例えば、非周期的ＣＳＩ報告または非周期的ＣＳＩ−ＲＳがスロット番号ｍでトリガされるときに、関連するＣＳＩ−ＲＳはスロット番号ｍ＋ｘで伝送されてもよい（またはＷＴＲＵによって受信されてもよい）。ＣＳＩは、スロット番号ｍ＋ｙでＷＴＲＵによって報告されてよい。ＣＳＩ処理時間は、関連するＣＳＩ−ＲＳが伝送されるスロット（ｍ＋ｘ）と、ＣＳＩがＷＴＲＵによって報告されるスロット（ｍ＋ｙ）と（の間の時間差）に基づいて決定されてよい。ＣＳＩ処理時間は、ギャップΔＰであってよく、ここで、ΔＰ＝（ｍ＋ｙ）−（ｍ＋ｘ）＝ｙ−ｘである。
【００９１】
シンボルレベル（例えば、ＯＦＤＭシンボルまたはＤＦＴ−ｓ−ＯＦＤＭシンボル）またはサンプルレベルは、ＣＳＩ処理時間パラメータのセットを決定または提供してもよい。例えば、関連するＣＳＩ−ＲＳが、スロット（例えば、ΔＳ＜１スロット）の最初のシンボルまたは２番目のシンボルなどのスロットの先頭において、またはその近くで伝送されるときに、スロットの中に追加のタイムギャップが存在してもよい。ＣＳＩが、スロット（例えば、ΔＱ＜１スロット）の最後または最後から２番目のシンボルなどのスロットの終端において、またはその近くで報告される場合、スロットの中に追加のタイムギャップが存在してもよい。ＣＳＩ処理時間またはギャップは、ΔＰ＝−（ｍ＋ｘ−１−ΔＳ）＋（ｍ＋ｙ−１−ΔＱ）＝（ｙ−ｘ）＋（ΔＳ−ΔＱ）として決定されてもよい。ｘ＝ｙの場合、ゼロ以外のＣＳＩ処理時間（すなわち、ΔΡ＝ΔＳ−ΔＱ）が存在してもよい。
【００９２】
複数の関連するＣＳＩ−ＲＳが伝送される場合、ΔＳの最小値（または最大値）が使用されてもよい。加えて、複数のＣＳＩ報告タイミングが使用される場合、ΔＱの最大値（または最小値）が使用されてもよい。あるいは、ＣＳＩ処理時間は、ΔＱ値に基づいて、ＣＳＩ報告インスタンスごとに算出されてもよい。
【００９３】
ＣＳＩ処理時間は、ＴＡまたは新無線（ＮＲ）物理下りリンク制御チャネル（ＮＲ−ＰＤＣＣＨ）処理時間に基づいて、減じられるか、または追加的に減じられてもよい。ＴＡ、例えば、適用されるＴＡが、ＣＳＩ処理時間を減じてもよい。一実施例では、ＣＳＩ処理時間は、算出または決定されたＣＳＩ処理時間を意味してよい。算出または決定されたＣＳＩ処理時間などのＣＳＩ処理時間が（事前に）決定されることがある閾値より小さいときに、ＴＡ値である、例えば、適用されるＴＡ値、またはＲｘ−Ｔｘ時間差値が、ＷＴＲＵによってＴＲＰに、またはｇＮＢによって報告または明示されてよい。ＷＴＲＵは、ＴＡ値を算出、決定、または報告してよい。他の処理時間値が、ＴＲＰからＷＴＲＵに報告または明示されてよい。
【００９４】
ＷＴＲＵはＮＲ−ＰＤＣＣＨ処理時間（ΔＰＤＣＣＨ）を決定してもよく、このＮＲ−ＰＤＣＣＨ処理時間は、ＣＳＩ処理時間の決定時に、ＷＴＲＵまたはｇＮＢによって考慮されてよい。ＮＲ−ＰＤＣＣＨ処理時間が、閾値、またはＮＲ−ＰＤＣＣＨが伝送される時間位置と非周期的ＣＳＩ−ＲＳが伝送される別の時間位置との間のギャップ（ΔΜ）より大きい（および／または等しい）場合、ＮＲ−ＰＤＣＣＨ処理時間は、ＣＳＩ処理時間の決定時に考慮されてもよい。ＮＲ−ＰＤＣＣＨ処理時間が閾値またはギャップ（ΔΜ）より小さいか、または等しい場合、ＮＲ−ＰＤＣＣＨ処理時間は決定時に使用されなくてもよい。これは、ケースバイケースで決定されてよい。
【００９５】
決定されたＣＳＩ処理時間が所定の閾値より小さい場合、ＮＲ−ＰＤＣＣＨ処理時間はＷＴＲＵ能力としてＷＴＲＵによって報告されてもよい。ＮＲ−ＰＤＣＣＨ処理時間は、構成されたサーチスペースの数、構成された制御リソースセット（Control  Resource  Set：ＣＯＲＥＳＥＴ）の数、コンポーネントキャリアの数、チャネル推定のためのＣＣＥの数、およびスロットの中のＮＲ−ＰＤＣＣＨ候補のブラインド復号の数（または総数）のうちの１つまたは複数に応じて決定されてよい。スロット内でＮＲ−ＰＤＣＣＨがモニタするいくつかのＲＥまたはＲＥＧバンドルもまた、考慮されてよい。
【００９６】
一実施形態に従って、例示的なＣＳＩ報告タイミングおよびタイプの制約が、本願明細書において記載される。ＣＳＩ報告タイミング（図３のｙ）の候補値の１つまたは複数のセットが使用されてよい。例えば、これらに限定されるものではないが、とりわけ、ｙの候補値の第１セットは、｛０、１、２、３、４｝、ｙの候補値の第２セットは、｛２、４｝、ｙの候補値の第３セットは｛４｝、であってよい。ｙの候補値のセットは、以下のパラメータに基づいて決定されてよい。
【００９７】
ｙの候補値は、上位層シグナリングである、例えば、ＭＡＣ、無線リソース制御（Radio  Resource  Control：ＲＲＣ）、ＲＬＣまたはＰＤＣＰシグナリングを介して構成されてよい。ｙの候補値は、システムパラメータ、ＷＴＲＵ固有パラメータ、ニューメロロジー、サービスタイプ（例えば、ｅＭＢＢ、ＵＲＬＬＣおよびｍＭＴＣ）ならびにスロット構造のうちの１つまたは複数に基づいて決定されてよい。例えば、ＮＲ−ＰＤＣＣＨタイプまたはＮＲ−ＰＤＣＣＨリソース構成（例えば、ＣＯＲＥＳＥＴ構成）はサービスタイプを決定してよい。
【００９８】
ｙの候補値は、ＷＴＲＵ向けのＴＡ値（例えば、ＷＴＲＵ向けのＴＡコマンド合計（一部の実施形態では正または、負の場合がある）、もしくは、適用されるＴＡまたはＲｘ−Ｔｘ時間差などのＷＴＲＵによって報告されるＴＡ）、もしくは、セル内でまたはＴＲＰによって許容または使用される最大ＴＡ値に応じて決定されてよい。例えば、ＷＴＲＵに対するＴＡ値が、閾値より小さい（および／または等しい）または、大きいときに、それぞれ、候補ｙ値の第１セットまたは第２セットが使用されてよい。別の例では、セル内で使用される最大ＴＡ値により、ｙの候補値が決定されてもよく、その際、使用されるか、許容されるか、または決定されるＴＡの最大値が、残存最小システム情報（Remaining  Minimum  System  Information：ＲＭＳＩ）、他のシステム情報（Other  System  Information：ＯＳＩ）またはＷＴＲＵ固有ＲＲＣ信号などの上位層信号で明示されてよい。
【００９９】
使用されるまたは決定される候補値の数は、ｙ値を明示するいくつかのビット（またはコードポイント）を提供してよい。スロット内のスロットタイプ（例えば、スロットまたはミニスロット）または使用されるシンボルの数が、ｙの候補値を定めてよい。例えば、スロットの中のシンボルの数が、閾値より小さいか、または大きい場合に、それぞれ、候補値の第１セットまたは第２セットが使用されてよい。ｘの候補値（図３に示すように、ＣＳＩ−ＲＳのタイミング）は、例えば、最小（または最大）のｘの候補値に応じて、ｙの候補値（図３に示すように、ＣＳＩ報告のタイミング）を決定してよい。例えば、最小（または最大）のｘの候補値は、オフセット値を用いてｙの候補値を決定してよい。例えば、オフセット値のセット｛ａ１、ａ２、ａ３、ａ４｝が、最小（または最大）のｘ値（例えば、ｂ１）と共に使用されてよい。結果として生じるｙの候補値のセットは、オフセット値が｛ａ１＝０、ａ２＝１、ａ３＝２、ａ４＝３｝のときに、｛ａ１＋ｂ１、ａ２＋ｂ１、ａ３＋ｂ１、ａ４＋ｂ１｝であってよい。
【０１００】
オフセット値（ΔＯＦＦ）がｘの候補値のために使用される場合に、ｘの候補値はｙの候補値を決定してもよい。例えば、ｘの候補値が｛ｂ１、ｂ２、ｂ３、ｂ４｝である場合、ｙの候補値は、｛ｂ１＋ΔＯＦＦ、ｂ２＋ΔＯＦＦ、ｂ３＋ΔＯＦＦ、ｂ４＋ΔＯＦＦ｝であってもよい。オフセット値は、ＷＴＲＵ能力に基づいて決定されてよい。ΔＯＦＦ値は、例えば、登録プロシージャで、予め伝送されてよい。あるいは、ΔＯＦＦは、登録中に明示された処理能力に基づいてＷＴＲＵに通知されてよい。
【０１０１】
候補ｘ値のセットが、候補ｙ値の対応するセットを有する場合に、ｘの候補値は、ｙの候補値を決定してもよい。例えば、候補ｘ値のセットが決定される場合、構成済みまたは定義済みテーブルもしくは規則が、候補ｙ値のセットを決定してもよく、その逆もまたあり得る。テーブルは、データベース、ビットマップまたは他のデータ構造で提供されてよい。
【０１０２】
１つまたは複数のＣＳＩ報告タイプ、ＣＳＩ報告設定、またはＣＳＩ報告構成が、ｙの候補値を決定してもよい。例えば、候補ｙ値の第１セットまたは第２セットが、それぞれ、第１または第２ＣＳＩ報告タイプのために使用されてよい。
【０１０３】
ＣＳＩ報告タイプは、ＣＳＩ報告に含まれているＣＳＩのタイプであってよい。ＣＳＩ報告タイプは、ＰＭＩ、ＣＱＩ、ＲＩ、ＣＲＩを含むＣＳＩ報告パラメータ、例えば、ＣＳＩタイプ１またはＣＳＩタイプ２コードブックなどのコードブックのタイプ（ここで、ＣＳＩタイプ１コードブックは、最大８レイヤに対して使用されてよく、ＣＳＩタイプ２コードブックは、最大２レイヤに対して使用されてよい）、広帯域、サブバンドまたは帯域幅パートなどのＣＳＩ報告パラメータの帯域幅、および、ＳＵ−ＭＩＭＯ、ＭＵ−ＭＩＭＯ、開ループ、閉ループまたは半開ループなどの伝送モード、のうち少なくとも１つを含んでよい。
【０１０４】
ＣＳＩ報告構成は、いくつかのサブバンドまたは帯域幅パート、いくつかのＣＳＩ−ＲＳリソースのアンテナポート、同時に測定される必要があってよいか、またはＣＳＩ報告と関連付けられてもよいいくつかのＣＳＩ−ＲＳリソース、ＣＳＩ−ＲＳリソースと関連付けられるランクの最大数、ＣＳＩ報告（例えば、同時のＣＳＩ報告）と関連付けられるいくつかのリソース設定、ＣＳＩ報告と関連付けられてもよいいくつかのリンク（例えば、ＣＳＩ報告設定とリソース設定との間のリンク）、コードブックサブセット制約レベル（例えば、ＰＭＩ報告向けに検索されることを必要とすることがあるコードブック内のいくつかのコードワード）、および／またはランクサブセット制約レベル（例えば、制約されることがある候補ランク値）、のうち少なくとも１つを含んでよい。
【０１０５】
いくつかのキャリア（例えば、キャリアアグリゲーションまたはデュアルコネクティビティ用）が、ｙの候補値を決定するために使用されてもよい。例えば、キャリアの数は、同時にＣＳＩ報告を必要とするキャリアの数でもよい。
【０１０６】
別の例では、ＣＳＩ報告タイプ、構成またはパートのセットは、決定されるＣＳＩ処理時間に基づいて決定されてもよい。表１は、決定されるＣＳＩ処理時間に基づく許容されるＣＳＩ報告タイプ、構成、またはパートの例を示す。Ｔ１、Ｔ２〜ＴＮは、閾値である。
【０１０７】
【表１】
0006852813.tif 000002
【０１０８】
ＣＳＩ処理時間が閾値より小さい場合（例えば、Ｔ１）、ＷＴＲＵ動作、すなわち、ＷＴＲＵがトリガされたＣＳＩ報告をドロップするか、または不連続伝送（Discontinuous  Transmission：ＤＴＸ）を送信し得ることと、ＷＴＲＵが次の時間インスタンスでトリガされたＣＳＩ報告を伝送し得ること（ここで、次の時間インスタンスはＷＴＲＵに割り当てられる次の上りリンクチャネルであってもよい）と、ＷＴＲＵがトリガされることがあるＣＳＩ報告のパート（または、構成部分）を報告し得ることと、ＷＴＲＵが１つまたは複数のトリガされたＣＳＩ報告設定と関連付けられることがあるリソースのサブセットを測定し得ることと、または、ＷＴＲＵが関連するＤＣＩでトリガされることがあるＣＳＩ報告設定のうちの１つまたは複数をドロップし得ることと、の動作のうち少なくとも１つが使用されてもよい。ＣＳＩ伝送をドロップすることによって、ＷＴＲＵが、トリガされたＣＳＩ報告を効果的に無視しているか、または非周期的ＣＳＩ報告をトリガするために使用されることがあるスケジューリングＤＣＩを効果的に無視していると言うことができる。
【０１０９】
例えば、ＣＳＩ報告は、第１コードワード、ＲＩまたはＣＲＩのためのＣＱＩの少なくとも１つを含むＣＳＩの第１パート、および、第２コードワードまたはＰＭＩのためのＣＱＩの少なくとも１つを含むＣＳＩの第２パートのようなパートの１つまたは複数を含んでもよい。
【０１１０】
上述したように、ＣＳＩ処理時間が閾値より小さい（例えば、Ｔ１）場合、ＷＴＲＵはＣＳＩの第１パートのみを報告してよく、ＣＳＩの第２パートをドロップしてもよい。さらに、一度にドロップされるＣＳＩのパート（例えば、第１または第２パート）は、ＣＳＩ報告時間インスタンスの中で後で報告されてもよく、ここで、ＣＳＩ報告時間インスタンスの後の時間が、スケジューリングパラメータの１つまたは複数に基づいて、予め定められ、構成され、または暗に決定されてよい。報告されていない構成部分は、専用信号で報告されるか、またはＷＴＲＵの１つまたは複数の上りリンクチャネル上の他の信号によって多重送信されてもよい。
【０１１１】
ＷＴＲＵは、１つまたは複数のトリガされるＣＳＩ報告設定と関連付けられることがあるリソースのサブセットを測定してもよい。この場合、ＣＳＩ報告設定は、１つまたは複数のリソース設定と関連付けられてよく、ここで、リソース設定はＫｓ個のリソースのＳ個のリソースセットを含んでもよい。ＷＴＲＵは、リソース設定、リソースセットまたはリソースのサブセットの測定に基づいて、ＣＳＩを報告してもよい。
【０１１２】
ＷＴＲＵは、関連するＤＣＩでトリガされることがあるＣＳＩ報告設定のうちの１つまたは複数をドロップしてもよい。例えば、Ｎｃ個のＣＳＩ報告設定がトリガされる場合、ＷＴＲＵは、Ｎｓ個のＣＳＩ報告設定を報告してもよい（ここで、Ｎｃ＞Ｎｓである）。したがって、トリガされたＣＳＩ報告設定のうちの１つまたは複数は、優先順位規則に基づいてドロップされてよい。例えば、最下位優先順位のＣＳＩ報告設定は、ドロップされてよい。より高い優先レベルのＣＳＩ報告設定は、伝送されてよい。
【０１１３】
場合によっては、ＣＳＩ伝送は、他のＵＬ伝送と衝突する場合がある。この場合、パワーレベルが上回ることがあるか、またはその両方の伝送が可能な時間または帯域幅が十分でない場合がある。したがって、ＣＳＩがドロップされるか、または他のＵＬ伝送の１つまたは複数がドロップされてよい。場合によっては、ＷＴＲＵは、ＣＳＩ伝送をドロップして、ＳＲまたはＨＡＲＱ伝送を伝送するように決定してもよい。この例に対するカウンタは、真（ｔｒｕｅ）であってもよい。別の例では、ＨＡＲＱ−ＡＣＫが、ＣＳＩと共にＰＵＳＣＨ上で多重送信されてもよい。当然、ＣＳＩは、完全にドロップされてもよい。
【０１１４】
対照的に、ＣＳＩ処理時間が閾値（例えば、表１のＴＮ）を超える場合、表１（最下行）に示すように、すべてのＣＳＩ報告タイプまたは構成がサポートされてもよく、ここで、ＴＮは構成されたＮ番目の閾値と呼ばれてもよい。
【０１１５】
ＣＳＩ処理時間は、一定のＣＳＩ報告タイミングのために、許容される（例えば、リクエストまたはトリガされる）か、またはサポートされる（例えば、決定または報告される）ＣＳＩ報告タイプを決定してよい。例えば、第１ＣＳＩ報告タイプ（例えば、ＣＳＩタイプ２のＰＭＩ）は、第１ＣＳＩ処理時間範囲（例えば、ＣＳＩ制約レベル１、Ｔ１＜ΔＰ≦Ｔ２）に対して許容またはサポートされないが、その一方で、第２ＣＳＩ報告タイプ（例えば、ＣＳＩタイプ１のＰＭＩ）は、許容またはサポートされてよい。
【０１１６】
一例では、範囲１が、０＜ｄｅｌｔａＰ≦Ｔ１、範囲２が、Ｔ１＜ｄｅｌｔａＰ≦Ｔ２、範囲３が、Ｔ２＜〜、および範囲Ｎが、Ｔ（ｎ−１）＜ｄｅｌｔａＰ≦Ｔｎと仮定される。ＣＳＩタイプ１、タイプ２、〜タイプ（ｎ−１）を仮定するときに、以下のものを適用してもよい。第１の選択肢では、範囲１の時間の場合はＣＳＩタイプ１のみが許容され、範囲２の時間の場合はＣＳＩ  Ｔ１およびＴ２が許容され、範囲Ｎの時間の場合はＣＳＩ  Ｔ１〜ＣＳＩ  Ｔｎが許容される。別の選択肢では、例えば、範囲１すなわちＴ１、範囲２すなわちＴ２などの範囲に対するタイプが制約できるという点に留意すべきである。
【０１１７】
ＣＳＩ制約レベルは、ＣＳＩ報告タイプまたは１つまたは複数のＣＳＩ構成に基づいて決定されてよい。ＣＳＩ制約レベルは、最小ＣＳＩ処理時間またはＣＳＩ処理時間範囲に対応するか、またはそれらに相当してよい。より高いＣＳＩ制約レベルは、より長いＣＳＩ処理時間（例えば、より長い最小ＣＳＩ処理時間または処理時間のより広い範囲）に対応するか、またはそれらを表してもよい。
【０１１８】
ＣＳＩタイプ（例えば、ＣＳＩタイプ１またはＣＳＩタイプ２）が、ＣＳＩ制約レベルを決定してもよい。例えば、ＣＳＩタイプ２に基づくＣＳＩ報告タイプ（例えば、ＰＭＩ、ＣＱＩ、ＲＩまたはＣＲＩ）は、最大伝送ランク（またはＲＩ値）が同一であるときに、ＣＳＩタイプ１に基づくＣＳＩ報告タイプよりもより高いＣＳＩ制約レベルを必要または使用してよい。
【０１１９】
サポートされた最大ランクは、ＣＳＩ制約レベルを明示するか、またはＣＳＩ制約レベルを決定するために使用されてもよい。例えば、より高い最大ランク（または、候補値の数が多い）を有するＣＳＩ報告タイプは、より低い最大ランク（または、候補値の数が少ない）を有するＣＳＩ報告タイプより高いＣＳＩ制約レベルを必要とするか、または使用してもよい。
【０１２０】
コードブック制約レベルまたはコードブックの中のいくつかのコードワードが、ＣＳＩ制約レベルを決定してもよい。例えば、コードブック内のコードワードの数（例えば、検索される必要があることのあるコードブック内のプリコーディングベクトル／マトリックスの候補数）が多いＣＳＩ報告タイプは、コードブック内のコードワードの数が少ないＣＳＩ報告より高いＣＳＩ制約レベルを必要としてよい。
【０１２１】
ＣＳＩ報告タイプである、例えば、ＰＭＩ、ＣＱＩ、ＲＩまたはＣＲＩが、ＣＳＩ制約レベルを決定してよい。例えば、第１ＣＳＩ報告タイプである、例えば、ＰＭＩ、ＲＩは、第２ＣＳＩ報告タイプである、例えば、ＣＱＩまたはＣＲＩよりも高いＣＳＩ制約レベルを必要とするか、または使用してもよい。使用または必要とされるサブバンドまたは帯域幅パートの数が、ＣＳＩ制約レベルを明示するか、またはＣＳＩ制約レベルを決定するために使用されてよい。報告タイプと帯域幅パートの組合せが、同様に使用されてもよい。
【０１２２】
別の実施形態では、関連するＤＣＩのモニタリングのためのいくつかのＮＲ−ＰＤＣＣＨ候補、スロット内のいくつかの全ＮＲ−ＰＤＣＣＨ候補、またはＮＲ−ＰＤＣＣＨモニタリングのためのブラインド復号試行の数が、ＤＣＩで明示されることがある候補ｙ値（またはｙの最小候補値）、または候補ｘ値（またはｘの最大候補値）に基づいて制約されまたは決定されてもよい。例えば、ＮＲ−ＰＤＣＣＨ候補の１つまたは複数のセットが使用されてもよく、ＮＲ−ＰＤＣＣＨ候補の各セットは、ＮＲ−ＰＤＣＣＨ候補の異なる数（例えば、ＮＲ−ＰＤＣＣＨモニタリングのためのブラインド復号試行の異なる数）を有してもよく、決定または構成される候補ｙ値が、ＮＲ−ＰＤＣＣＨ候補のセットを決定してよい。
【０１２３】
最小ｙ値が閾値より小さい場合、サーチスペース内のＮＲ−ＰＤＣＣＨ候補の第１の数（またはセット）は、決定されるか、構成されるか、またはモニタされてよい。最小ｙ値が閾値より大きい場合、サーチスペース内のＮＲ−ＰＤＣＣＨ候補の第２の数（またはセット）は、決定されるか、構成されるか、またはモニタされてよい。ＮＲ−ＰＤＣＣＨ候補の第１の数は、ＮＲ−ＰＤＣＣＨ候補の第２の数より小さくてもよい。
【０１２４】
ｘとｙとの間の最小ギャップが閾値より小さい場合、サーチスペース内のＮＲ−ＰＤＣＣＨ候補の第１の数（またはセット）は、決定されるか、構成されるか、またはモニタされてよい。その他の場合は、サーチスペースのＮＲ−ＰＤＣＣＨ候補の第２の数（またはセット）が、ＷＴＲＵによって決定されるか、構成されるか、またはモニタされてよい。
【０１２５】
本明細書にてΔＰ，ｍｉｎと記載される最小値である、例えば、ＣＳＩ処理時間のｘとｙの値の可能な組合せの中の最小値は、いくつかのＮＲ−ＰＤＣＣＨ候補またはＮＲ−ＰＤＣＣＨ候補のセットを明示するか、またはそれらを決定するために使用されてよい。表２は、最小ＣＳＩ処理時間が、ＮＲ−ＰＤＣＣＨ候補の数を決定する場合の例を示す。
【０１２６】
【表２】
0006852813.tif 000003
【０１２７】
最小ＣＳＩ処理時間は、ＣＳＩ処理時間の０以上の最小値であってもよい。最小ＣＳＩ処理時間は、ｘ≦ｙのときに、一対の（ｘ、ｙ）値に基づいて決定されてよい。最小ＣＳＩ処理時間は、ｘ値とｙ値とのセットに基づいて、例えば、ＷＴＲＵおよび／またはｇＮＢによって、決定されてよい。セットは、候補セットであってもよい。ｘ値とｙ値とのセットは、上位層シグナリングである、例えば、ＭＡＣ、ＲＲＣ、ＲＬＣまたはＰＤＣＰシグナリングを介して構成されてよい。
【０１２８】
別の実施形態では、例えば、ＤＣＩがその中で受信されるＮＲ−ＰＤＣＣＨ候補のサブセットに基づいて、ｘまたはｙの候補値は、決定されてもよい。ＤＣＩは、ＣＳＩ−ＲＳ伝送またはＣＳＩ報告をトリガする（例えば、明示する）ものであってもよい。例えば、ＮＲ−ＰＤＣＣＨ候補の第１サブセット、およびＮＲ−ＰＤＣＣＨ候補の第１サブセットで受信されるＤＣＩは、ｘまたはｙの値の第１候補セットと関連付けられてよい。ＮＲ−ＰＤＣＣＨ候補の第２サブセットおよびＮＲ−ＰＤＣＣＨ候補の第２サブセットで受信されるＤＣＩは、ｘまたはｙの値の第２候補セットと関連付けられてよい。
【０１２９】
ｘまたはｙの値の第１候補セットは、ｘまたはｙの値の第２候補セットより小さいｘまたはｙの最小値を有してもよい。例えば、第１候補セットが、ｘ＝｛０、１｝およびｙ＝｛０、１、２｝であるのに対して、第２候補セットは、ｘ＝｛１、２｝およびｙ＝｛１、２、３｝であってもよい。他のセットまたはセットの順序付けが、使用されてもよい。
【０１３０】
また、第１候補セットは、第２候補セットと比較して、より少ない数のｘまたはｙの候補値を有してもよい。例えば、第１候補セットが、ｘ＝｛０｝およびｙ＝｛０，１｝であり、かつ第２候補セットが、ｘ＝｛１、２｝およびｙ＝｛１、２、３｝であってもよい。
【０１３１】
第１候補セットと関連付けられるＮＲ−ＰＤＣＣＨ候補の第１サブセットが、最初にモニタされてもよく、第２候補セットと関連付けられるＮＲ−ＰＤＣＣＨ候補の第２サブセットが、次にモニタされてもよい。別の例では、ＮＲ−ＰＤＣＣＨサーチスペースタイプが、ｘまたはｙの候補値を決定してもよい。例えば、第１候補セットまたは第２候補セットは、第１サーチスペースタイプ（例えば、共通サーチスペース、グループ共通ＮＲ−ＰＤＣＣＨ、グループ共通ＣＯＲＥＳＥＴ）、または第２のサーチスペースタイプ（例えば、ＷＴＲＵ固有サーチスペース、ＷＴＲＵ固有ＮＲ−ＰＤＣＣＨ、ＷＴＲＵ固有ＣＯＲＥＳＥＴ）に、それぞれ関連付けられてよい。両方のサーチスペースが同じ時間ウィンドウに位置する場合、ＷＴＲＵは最初に第１サーチスペースタイプをモニタしてよく、次に第２サーチスペースタイプをモニタしてよい。
【０１３２】
さらに別の例では、１つまたは複数のＣＳＩ報告セットが構成されてもよい。ＣＳＩ報告セットは、ｘ、ｙ、ＣＳＩ報告タイプ、ＣＳＩ報告構成またはＣＳＩ報告構成のセットのうちの少なくとも１つを含んでよい。ＣＳＩ報告セットはＤＣＩ内で明示されてよい。ＣＳＩ報告タイプおよびその関連するＣＳＩ報告構成は、ＣＳＩ報告設定、リソース設定およびリンクの組合せに相当してもよい。ＣＳＩ報告セットは、ＷＴＲＵ固有の方式で上位層シグナリングを介して構成されてよい。例えば、測定のための関連するＣＳＩ−ＲＳが周期的ＣＳＩ−ＲＳまたは半持続的ＣＳＩ−ＲＳである場合、ｘの値は、ＣＳＩ報告セットの一部でなくてもよい。
【０１３３】
ＣＳＩ報告セットのセットまたはスーパーセットが、例えば、ＷＴＲＵ固有ＲＲＣシグナリングを介して構成されてよい。ＣＳＩ報告セットのサブセットは、ＭＡＣ−ＣＥまたは任意の他のＭＡＣレイヤ構成要素を介して、アクティブにされるか、または非アクティブにされてよい。他のレイヤも、使用されてよい。ＤＣＩは、ＣＳＩ報告セットのアクティブにされたサブセットの１つであり得るＣＳＩ報告セットを明示してよい。
【０１３４】
表３は、ＣＳＩ報告セットタイプの一例を示す。セットは、数字によって明示されてよく、ｘ、ｙに対応してよい。セットタイプは、異なるＣＳＩ報告タイプおよびＣＳＩ構成を明示してよい。
【０１３５】
【表３】
0006852813.tif 000004
【０１３６】
ＷＴＲＵは、様々な能力を有してもよく、例えば、ＷＴＲＵは、異なるバンド、インターネットプロトコル通信、異なった測定構成などをサポートしてもよい。ＷＴＲＵは、異なったタイプである、例えば、高コスト、低コスト、適合するマシンタイプコミュニケーション（ＭＴＣ）などでもよい。ＷＴＲＵは、他の従来の能力報告と同様に、ＣＳＩ報告およびタイミングの能力を報告してもよい。ＷＴＲＵはＣＳＩ報告タイミングのためのＷＴＲＵ能力の明確または暗黙のシグナリングを実施してもよく、それによりＴＲＰはシグナリングおよび登録情報を受信することができる。ＴＲＰは、別のネットワークノードにこの情報を明示してもよい。
【０１３７】
非周期的ＣＳＩ報告のために、ＷＴＲＵは報告タイミングパラメータである、例えば、図３のパラメータｙ、を有する非周期的ＣＳＩ報告トリガインジケーションを受信してもよく、その非周期的ＣＳＩ報告トリガインジケーションは、ＷＴＲＵがトリガされた非周期的ＣＳＩ報告を伝送する必要のある可能性があるスロットを明示してもよい。ＣＳＩは準備されてもよい、すなわち、ＣＳＩ報告のためのＣＳＩ測定を、ＣＳＩ報告タイミングである、例えば、図３の番号ｍ＋ｙの前に、終了してもよい。ＷＴＲＵが、報告のためのＣＳＩを決定、測定、準備するのに使用する時間は、ＷＴＲＵの実装能力および詳細に依拠するものであってよい。ｇＮＢはこの情報を使用して、ＷＴＲＵによって使用されることになるｙの有効値を決定してもよい。一実施形態では、ＷＴＲＵは、ＣＳＩフィードバックと共にＲＩを伝送してもよい。このように、伝送は、ＣＲＩ／ＲＩ／ＰＭＩ／ＣＱＩまたはＣＲＩ／ＲＩ／ＬＩ／ＰＭＩ／ＣＱＩ、もしくはそれに関する任意の他の組合せを含んでもよい。
【０１３８】
一実施形態では、ＷＴＲＵは、ＣＳＩ処理情報である、例えば処理能力をｇＮＢに明示するか、報告するか、信号を送ってもよい。ＣＳＩ処理情報は、１つまたは複数のＣＳＩ報告の組合せのための、サポート可能な最小ｙ値、またはサポート可能な最小処理時間値を含んでもよい。サポート可能な最小処理時間値は、例えば、ＷＴＲＵがサポートすることがある、ｙ−ｘまたはｙ（ｘ＝０の場合）の最小値でもよい。最小値は、実際のＴＡ、参照ＴＡ、最大ＴＡまたは構成されるＴＡなどのＴＡの素因であることを示してもよい。
【０１３９】
ＣＳＩ報告の組合せは、ＣＳＩ報告設定の数または最大数、リンクの数または最大数（ここで、リンクは少なくとも１つのＣＳＩ報告設定と少なくとも１つのリソース設定との間にあり、このリソース設定は、測定リソースである、例えば、ＣＳＩ報告設定のためのＣＳＩ−ＲＳリソースまたはリソース設定を決定してもよい）、リソース設定の数または最大数、１つまたは複数のＣＳＩ報告タイプ、ＣＳＩ報告帯域幅、ニューメロロジーである、例えばＣＳＩ測定のための絶対時間、いくつかのアンテナポート、またはいくつかのビームのうち少なくとも１つを含んでもよい。レイテンシーが、単独またはこれらの設定の１つと組み合わせて、考慮されてよい。例えば、報告方法が利用可能または許容可能かどうかを決定するために、レイテンシーはニューメロロジーと組み合わせて考慮されてよい。
【０１４０】
一例では、ＷＴＲＵは、ｙまたはＣＳＩ処理値のそれぞれに対して、ＣＳＩ報告の組合せのセットを報告または明示してもよい。別の例では、１つまたは複数のＣＳＩ報告の組合せに対する値、ｙ（例えば、最小のサポートされるｙまたはサポートされたｙの最小値）、またはＣＳＩ処理時間（例えば、最小のサポートされるＣＳＩ処理時間またはサポートされたＣＳＩ処理時間の最小値）を、ＷＴＲＵは報告してもよい。報告されるｙまたはＣＳＩ処理時間値のＣＳＩ報告の組合せは、例えば、ＲＲＣシグナリングまたはブロードキャストシグナリングなどの、上位層シグナリングによって通知されるか、または構成されてよい。表４および５は、ＣＳＩ処理情報を明示するシグナリングの例を示す。
【０１４１】
【表４】
0006852813.tif 000005
【０１４２】
【表５】
0006852813.tif 000006
【０１４３】
一例では、能力情報が明確に導き出されるか決定されてよい。異なるＣＳＩ報告の組合せに対する最小のｙまたは処理時間値が、ＷＴＲＵカテゴリ、ＷＴＲＵ受信アンテナの数、ＷＴＲＵがサポート可能な最大周波数帯域幅、またはＷＴＲＵがサポート可能な最大サブキャリア間隔の少なくとも１つに基づいて決定されてよい。
【０１４４】
例えば、より高いＷＴＲＵカテゴリは、より良好な計算能力を有してもよく、より低い最小ｙまたは処理時間値をサポートしてもよい。別の例では、より多くの受信アンテナを備えたＷＴＲＵは、より高いランクのＣＳＩ報告を提供してもよい。より高いランクは、複雑性による計算のために追加のＣＳＩ処理時間を必要としてもよい。この複雑性に起因して、より多くの受信アンテナを有するＷＴＲＵ向けに、より大きい最小ｙまたは最小処理時間値が、使用されるか、構成されるか、または決定されてもよい。別の例では、サポート可能なより広い周波数帯域幅を有するＷＴＲＵは、より良好な計算能力を有することがある。サポート可能なより広い周波数帯域幅を有するＷＴＲＵ向けに、より小さい最小ｙまたは処理時間値が使用され、構成され、または決定されてもよい。サポート可能な最大周波数帯域幅が、同時にサポートされるコンポーネントキャリアの最大数に基づいて決定されてよい。一部の例示的なＷＴＲＵタイプは、ＬＣ−ＭＴＣ、ｅＭＴＣ、Ｃａｔ０、ＰＳＭ、ｅＭＴＣ、Ｃａｔ  Ｍ１、ＣＥ、ＮＢ−ＩｏＴ、Ｃａｔ  ＮＢなどを含む。
【０１４５】
図５は、一実施形態に従うＣＳＩフィードバックを有する自己完結型スロット５００の一例を示す。ＷＴＲＵが非周期的ＣＳＩ報告トリガ５０２を受信して、同じスロット内のトリガされたＣＳＩ報告５０４を伝送するときに、スロットは自己完結型スロット（または自己完結型スロット構造）と呼ばれてもよい。ＷＴＲＵは、ＣＳＩ報告トリガインジケーションが受信される５０２と同じスロットの中でＣＳＩ５０４を報告することによって、自己完結型ＣＳＩ報告を実施してもよい。特に、ｙ＝０のときに、ＷＴＲＵは、同じスロットの中でＣＳＩを報告してもよい。スロット５００は、ＤＬパート５０６、ギャップ５０８およびＵＬパート５１０を含んでもよい。ＤＬパート５０６は、ＣＳＩトリガ５０２と同様に他のＤＬ情報を含んでもよい。
【０１４６】
ＷＴＲＵが自己完結型スロットでＣＳＩを報告する場合、その前のスロットでＷＴＲＵが受信したＣＳＩ−ＲＳに基づいて、ＷＴＲＵはＣＳＩを報告してよい。閾値より小さいｙまたは処理時間を明示するトリガに基づいてＷＴＲＵがＣＳＩを報告する場合、ＷＴＲＵは、その前のスロットでＷＴＲＵが受信したＣＳＩ−ＲＳに基づくか、またはトリガの前にＷＴＲＵが受信したＣＳＩ−ＲＳに基づいてＣＳＩを報告してもよい。
【０１４７】
一例では、ＣＳＩトリガが、ｙ＝０を明示するか、またはＣＳＩ処理時間（ΔＰ）が、閾値より小さい場合、ＷＴＲＵは、非周期的ＣＳＩ報告がトリガされる前か、またはトリガ後ではあるがＣＳＩ報告の前に行われるＣＳＩ−ＲＳ伝送の前に、既に測定したか、もしくは利用可能な（あるいは、利用可能なＣＳＩ−ＲＳに基づいてもよい）ＣＳＩを報告してよい。
【０１４８】
１つまたは複数の閾値が、構成されてもよい。例えば、ＷＴＲＵは、処理能力のようなＷＴＲＵ能力に基づいて、１つまたは複数の閾値を決定してもよい。報告されることになるＣＳＩ報告の組合せが、閾値を決定してもよい。ＷＴＲＵが、ＣＳＩを報告するようにトリガされ、その関連するＣＳＩ処理時間が閾値より小さい（例えば、ΔΡ＜閾値）場合、ＣＳＩ処理時間内に測定され、決定される可能性のある１つまたは複数のＣＳＩを、ＷＴＲＵは報告してよく、ここで、１つまたは複数のＣＳＩは、トリガされたＣＳＩのサブセットでもよい。
【０１４９】
報告されない可能性のあるＣＳＩに対するビットフィールドが、既知の値のセットである、例えば、ゼロビットまたは他の所定のビットまたはビットパターンであってもよい。それらは、予め報告される値であってもよい。あるいは、値は取り除かれてもよく、ＷＴＲＵがどのＣＳＩが存在しないかまたは報告されないかを明示してもよい。例えば、ビットマップがどのＣＳＩが報告されて、どのＣＳＩが報告されないかを明示してもよい。ＷＴＲＵは、物理上りリンクチャネルである、例えば物理上りリンク制御チャネル（ＰＵＣＣＨ）または物理上りリンク共有チャネル（ＰＵＳＣＨ）を決定してもよく、その物理上りリンクチャネル上で、報告に対して利用可能なＣＳＩの数、または利用可能なＣＳＩの報告のために必要とされるビット数に基づいてＣＳＩが伝送される。利用可能なＣＳＩが閾値より小さい場合、ＷＴＲＵはＰＵＣＣＨを使用してもよい。そうでない場合は、ＰＵＳＣＨが、ＣＳＩ報告のために使用されてもよい。
【０１５０】
また、ＰＵＳＣＨ伝送が上りリンク制御情報（Uplink  Control  Information：ＵＣＩ）のみを含むときに、報告に対する利用可能なＣＳＩの数または利用可能なＣＳＩの報告のために必要とされるビットの数に基づいて、ＰＵＳＣＨ向けの物理リソースブロック（ＰＲＢ）の数を、ＷＴＲＵは決定してもよい。利用可能なＣＳＩが閾値より小さい場合、ＰＲＢ（またはスケジュールされたＰＲＢのサブセット）のより小さい数が使用されるか、または決定されてよく、そうでない場合は、ＰＵＳＣＨのためにすべてのスケジュールされたＰＲＢが使用されてよい。
【０１５１】
図６は、ＷＴＲＵによる操作のプロシージャ６００を示す。プロシージャ６００は、自己完結型ＣＳＩ報告のためのＣＳＩトリガ受信、ＷＴＲＵ処理、およびＣＳＩ伝送を示す。ＣＳＩトリガがｙ＝０、または、ＣＳＩ処理時間が閾値より小さいことを明示するときに６０２、ＷＴＲＵはその能力に基づいてＣＳＩを報告してもよい。ＷＴＲＵが高い能力または十分な処理能力を有する場合６０４、ＷＴＲＵは全部のＣＳＩ報告を推定するか、または測定してもよく６０４、現在のスロットの中でｇＮＢに全部のＣＳＩ報告を伝送してもよい６１０。ＷＴＲＵが中程度の能力を有する場合６０６、ＣＳＩ報告のサブセットが推定されて、現在のスロットの中でｇＮＢに伝送されてよい６１０。ＷＴＲＵが低い能力を有する場合６１２、ＷＴＲＵは、自己完結型ＣＳＩ報告、ｙ＝０、または１つのスロットより小さい処理時間をサポートすることができないか、またはそれらをサポートしないことを明示してもよい。任意選択で、ＷＴＲＵは、否定応答（No  Acknowledgment：ＮＡＫ）を生成してもよい６１４。ＷＴＲＵは、リクエストされたＣＳＩをその後のスロットで送信してよい６１６。
【０１５２】
ＷＴＲＵは、例えば、ＷＴＲＵ初期化、セットアップおよび／または登録の間に、ｇＮＢまたは他の基地局などのＴＲＰに自己完結型ＣＳＩ報告をサポートする能力のインジケーションを送信してもよい。あるいは、ＷＴＲＵカテゴリが自己完結型ＣＳＩ報告能力に結び付けられてよく、ＷＴＲＵカテゴリはその自己完結型ＣＳＩ報告能力を暗に決定してもよい。あるいは、ＷＴＲＵは、例えば、その現在のロードまたはその他のものに基づいて、ｇＮＢにフィードバックする自己完結型ＣＳＩ報告を自律的に決定してもよい。フィードバックオーバーヘッドを制限するために、ＷＴＲＵは、ｇＮＢに送信した最後のＣＳＩ報告から変更されたＣＳＩのみを報告してもよい。ＣＳＩ報告タイミングは、上位層シグナリングを介して構成されるか、または共通ＤＣＩを介して明示されてもよい。上位層シグナリングを介してＣＳＩ報告タイミングを構成することに関しては、ＷＴＲＵ、ＴＲＰまたはＣＳＩ報告設定のための１つまたは複数のｙ値は、上位層シグナリングである、例えばＭＡＣ、ＲＬＣ、ＲＲＣまたはＰＤＣＰシグナリングを介して構成されてもよい。ＷＴＲＵがＴＲＰからＣＳＩ報告のトリガを受信するときに、ＷＴＲＵは上位層構成に基づいてｙ値を決定してもよい。また、１つまたは複数のｙ値が、ネットワークによって準静的に構成されてよい。ＷＴＲＵは、初期またはデフォルトｙ値に割り当てられてもよく、ｙ値の更新はＲＲＣシグナリングなどの上位層シグナリングを通して行われてよい。ＷＴＲＵは、ＣＳＩ報告設定に基づいてｙ値を決定してよい。
【０１５３】
一例では、ＷＴＲＵは、例えば、ＲＲＣ構成、または他の上位層シグナリングである、例えば、ＭＡＣ、ＲＬＣ、ＲＲＣまたはＰＤＣＰシグナリングを通して、ｙ値（候補）のセットを用いて構成されてもよい。ｙ値は、例えば、報告要件に応じて、１つまたは複数のＣＳＩ報告設定にリンクされるか、それに対応するか、またはそれに関連付けられてよい。例えば、ｙ値のセットはｙ＝｛ａ１、ａ２｝を含んでよく、ＣＳＩ報告設定１および２はｙ＝ａ１を使用してよく、その一方で、ＣＳＩ報告設定３はｙ＝ａ２を使用してもよい。ＷＴＲＵがＣＳＩ報告設定に対する非周期的ＣＳＩリクエストと共にＤＣＩを受信するときに、ＷＴＲＵはそのＣＳＩ報告設定に対応するｙ値を使用してもよい。
【０１５４】
ｙ値は、１つまたは複数のＣＳＩ報告設定のために構成されてもよい。ｙ値は、ＣＳＩ報告設定の一部（コンポーネントまたは指標）か、またはＣＳＩ報告設定のパラメータであってよい。加えて、ｘ値が、１つまたは複数のリソース設定のために構成されてもよい。ｘ値は、リソース設定の一部か、またはリソース設定を明示するパラメータであってもよい。別の例では、第１上位層シグナリングである、例えば、ＲＲＣシグナリングを介して、ｙ値のセットを構成してよく、第２上位層シグナリングである、例えば、ＭＡＣ−ＣＥシグナリングは、ｙ値のセットのサブセットをアクティブにするか、非アクティブにしてよい。ＷＴＲＵは、ｙ値のサブセットの中のｙ値を用いて明示されてよい。さらに、サブセット内のｙ値の数が、関連するＤＣＩ内のビット（またはコードポイント）の数を決定してもよい。
【０１５５】
共通ＤＣＩを介してＣＳＩ報告タイミングを明示することに関しては、共通ＤＣＩは、ｇＮＢまたはＴＲＰによって伝送されてよく、ＷＴＲＵによって、例えば、すべてのスロットで、またはスロットのサブセットでモニタされてもよい。共通ＤＣＩは、関連するスロットのスロットフレーム情報を提供してもよい。ＴＲＰは、その接続されたまたは結び付けられたＷＴＲＵの少なくともいくつかに対するｙ値を同時に更新してもよい。ＴＲＰは、共通ＤＣＩを介して、構成されるｙ値をオーバーライドすることがある仮のｙ値を有する非周期的ＣＳＩ報告をリクエストしてよい。共通ＤＣＩは、複数向けの、例えば、ＷＴＲＵのグループ向けの値を提供するか、タイプまたは個々のＷＴＲＵ  ＩＤに基づいて値を明示してもよい。
【０１５６】
例えば、ｙ値は、セル共通ＤＣＩ、ＴＲＰ共通ＤＣＩ、またはグループ共通ＤＣＩ内に含まれてよい。ＴＲＰは、セル共通サーチスペースでＤＣＩを送信して、非周期的ＣＳＩ報告をリクエストしてよい。ＤＣＩは、共通サーチスペースをモニタしている１つまたは複数のＷＴＲＵによって使用されてもよいｙ値を含んでもよい。ＴＲＰは、ｙ値が（例えば、この先のリクエストのすべてに対して）再構成されるかどうか、またはそのｙ値がリクエストされた測定または報告向け（例えば、単一のインスタンス向け）のものかどうかを指定するインジケーション（例えば、インジケーションビット）を含んでもよい。
【０１５７】
図７は、ＷＴＲＵ７０６、第１のＴＲＰ７０２および第２のＴＲＰ７０４を示す図７００である。図７は、単一のＤＣＩが、複数のＴＲＰ操作向けの複数のｙ値を有する複数のＣＳＩ報告伝送をトリガしてもよいことを示す。例えば、ＷＴＲＵ７０６は、伝送速度またはダイバーシチ利得を向上させるために複数のＴＲＰ７０２、７０４に同時に接続されてもよい。ＷＴＲＵは複数のＴＲＰ７０２、７０４によってサービングされてよく、ここで１つのＴＲＰは、第１のセル用の第１のＴＲＰ（Ｐ−ＴＲＰ）７０２として動作し、もう一方のＴＲＰは、第２のセル用の第２のＴＲＰ（Ｓ−ＴＲＰ）７０４として動作してよい。Ｐ−ＴＲＰおよびＳ−ＴＲＰの両方は、同じまたは異なるトランスポートブロックを含むことがある、それら自体のＮＲ物理下りリンク共有チャネル（NR  Physical  Downlink  Shared  Channel：ＮＲ−ＰＤＳＣＨ）７０８、７１４を伝送してもよい。ＷＴＲＵは、Ｐ−ＴＲＰ７０２にＣＳＩ報告１  ７０１を伝送し、Ｓ−ＴＲＰ７０４にＣＳＩ報告２  ７１２を伝送する。
【０１５８】
マルチＴＲＰ展開では、Ｐ−ＴＲＰからのＮＲ−ＰＤＣＣＨは、複数のＴＲＰから１つのＷＴＲＵに向かって同時に発信する複数のＮＲ−ＰＤＳＣＨをスケジュールしてよい。リソース割り当ては、Ｐ−ＴＲＰのＤＣＩを通して伝送されてもよい。ＷＴＲＵと関連付けられたＴＲＰの数が、ＤＣＩの数を決定するか、または単一のＤＣＩが、複数のＴＲＰからの１つまたは複数のＮＲ−ＰＤＳＣＨをスケジュールするのに使用されてよい。いくつかの実施形態では、ＣＳＩは、同時に算出されてよい。複数の同時算出のそれぞれは、固有のＴＲＰへ／からの伝送に関連があってもよい。これらのＣＳＩ算出は、ＣＳＩ算出ユニット（CSI  Calculating  Unit：ＣＳＩ−ＣＵ）によって実施されてよい。１つまたは複数のトリガが単一のＴＲＰから受信されるか、または複数のトリガが複数のＴＲＰから受信されてもよい。場合によっては、単一のＣＳＩ−ＳＵが周期的伝送向けのＣＳＩ測定を決定するために動作してもよく、その一方で、別のＣＳＩ−ＳＵが非周期的伝送向けのＣＳＩ測定を決定するために動作してよい。マルチＴＲＰ展開は、デュアルコネクティビティタイプの展開でもよい。ＴＲＰのキャリアは、ＷＴＲＵの中でアグリゲートされてもよい。
【０１５９】
したがって、ＷＴＲＵは、１つまたは複数のＴＲＰからのＮＲ−ＰＤＳＣＨ受信のために場合によって使用されるいくつかのＤＣＩを用いて構成されてよく、ここで、このＤＣＩの数はＰ−ＴＲＰによって構成されてよい。単一のＤＣＩがマルチＴＲＰ操作向けに使用される場合、ＷＴＲＵはＰ−ＴＲＰのＮＲ−ＰＤＣＣＨサーチスペースでＤＣＩをモニタしてもよい。複数のＤＣＩがマルチＴＲＰ操作のために使用される場合、ＷＴＲＵはＰ−ＴＲＰのＮＲ−ＰＤＣＣＨサーチスペースで複数のＤＣＩをモニタするか、または、各ＤＣＩはその関連するＮＲ−ＰＤＣＣＨサーチスペースでモニタされてもよい。関連するＮＲ−ＰＤＣＣＨサーチスペースは、Ｐ−ＴＲＰまたはその関連するＴＲＰに位置してもよい。複数のＤＣＩが使用されるときに、ＴＲＰのＤＣＩは、無線ネットワーク一時識別子（Radio  Network  Temporary  Identifier：ＲＮＴＩ）に基づいて識別されてもよい。例えば、各ＤＣＩは、それ自体のＲＮＴＩ（例えば、ＴＲＰ固有であってもよいＲＮＴＩ）を有してもよい。
【０１６０】
一例では、ＤＣＩフォーマットが、マルチＴＲＰ非周期的ＣＳＩリクエストフィールドである、例えば、１ビットまたはその他のビットフィールドを含んでもよい。ＤＣＩを受信するか、またはマルチＴＲＰ非周期的ＣＳＩリクエストフィールドを有するＤＣＩの受信に応答して、ＷＴＲＵは、構成されてもよいｙ値を使用して、Ｐ−ＴＲＰまたは少なくともいくつかまたはすべてのＴＲＰに対するＣＳＩを報告するようにトリガされてよい。ＷＴＲＵが、最初に複数のＴＲＰに関連付けられる場合、使用されるｙ値は、上位層シグナリングを介して（例えば、ＲＲＣ再構成メッセージを通して）、それ以前に設定されたものであってもよい。ＣＳＩリクエストフィールドは、ＤＣＩ上にあってよく、ＰＵＳＣＨまたは別のチャネルでＣＳＩ報告をトリガしてもよい。
【０１６１】
別の例では、マルチＴＲＰ非周期的ＣＳＩリクエストフィールドは、ＤＣＩフォーマット内に複数のビットを含んでもよく、それにより、１つまたは複数のＴＲＰ向けの非周期的ＣＳＩ報告をトリガする。例えば、マルチＴＲＰ非周期的ＣＳＩリクエストフィールドは、ビットマップに基づいて、どのＴＲＰ  ＣＳＩ報告がトリガされるかを明示してもよい。表６に示すように、ＣＳＩトリガフィールドは、非周期的ＣＳＩ報告のためにどのＴＲＰのセットがトリガされるかを明示してよい（ＯＮは、トリガされる、ＯＦＦはトリガされない）。実際の実装形態では、その逆であってもよく、もしくは、別の方法で符号化されるか、または明示されてもよい。
【０１６２】
【表６】
0006852813.tif 000007
【０１６３】
Ｐ−ＴＲＰは、その非周期的ＣＳＩ報告トリガを通して、それ自体に対するｘまたはｙ値、または１つまたは複数のＳ−ＴＲＰを動的に設定してもよい。別の例では、１つまたは複数のｘまたはｙ値は、マルチＴＲＰ非周期的ＣＳＩリクエストフィールドに加えて１つまたは複数のｘまたはｙ値を含むことによって、ＤＣＩを通して動的に更新されてよい。ＷＴＲＵは、接続されているか、関連付けられている１つまたは複数のＴＲＰに対する更新されたｘまたはｙ値を使用してもよい。
【０１６４】
リソース割り当てが、各ＴＲＰで独立して実施されてよい。例えば、Ｐ−ＴＲＰから伝送されるＮＲ−ＰＤＳＣＨはＲＢのセットの１つでスケジュールされてよく、その一方で、Ｓ−ＴＲＰは、ＲＢの別のセットで伝送することを選択してもよい。トラフィックタイプは、各リンクで異なってもよい。例えば、１つのリンクは高度化モバイルブロードバンド（ｅＭＢＢ）データを伝送してもよく、その一方で、他のリンクは超高信頼・低遅延通信（ＵＲＬＬＣ）を伝送してもよい。例えば、フィードバック粒度、レイテンシー要件、報告する周波数、フィードバックタイプまたは他のパラメータを基準にして、フィードバック要件はＰ−ＴＲＰとＳ−ＴＲＰリンクとで異なってもよい。同じｙ値が、すべてのリンクに適していなくてもよい。ＣＳＩレイテンシーは、サブキャリア間隔に依存してもよい。
【０１６５】
別の例では、ｘまたはｙ値は、例えば、どのＴＲＰが新しいｘまたはｙ値を使用するべきかを明示するＤＣＩに追加ビットを含むことによって、ＴＲＰのサブセットに対して更新されてもよい。ＷＴＲＵをサービングするＮ個のＴＲＰは、Ｎ個のビットを使用して、更新されたｘまたはｙ値を使用する必要があるＴＲＰの任意の組合せに対するビットマップを明示してよい。ｎ番目のビットが、更新された値がＴＲＰｎに適用されるかどうかを表してよく、この際、ｎ＝１：Ｎである。例えば、ＤＣＩは、フィールド<multi-TRP  aperiodic  CSI  request:  1,  y*,  multi-TRP  bitmap:  01  >を含んでよく、これによって、２つのＴＲＰに接続されているＷＴＲＵに対して、ｙ＊を使用して、Ｓ−ＴＲＰで、非周期的ＣＳＩ報告をトリガしてよい。
【０１６６】
ＷＴＲＵは、マルチレベルＣＳＩ報告を実施するために、さらに構成されてもよい。特に、ＷＴＲＵは、ＣＳＩトリガイベントからのｙのタイミングオフセットを用いて非周期的ＣＳＩ報告を送信するように構成されてもよい。ｙの値は、ＷＴＲＵ固有構成に対応してもよい。ｙの値は、ＷＴＲＵまたはＷＴＲＵのグループに、動的に、または準静的に明示されてよい。ｙの値のセットが、（例えば、準静的に）定義または構成されてもよい。ＷＴＲＵは、受信された、または関連するＤＣＩで提供または明示されたインデックスに基づいて、そのセットから目的の値を選択してもよい。ＷＴＲＵは、特定のタイプのＣＳＩフィードバックに対応するレベルに基づいてＣＳＩを報告するように構成されてもよい。
【０１６７】
一例では、ＷＴＲＵは、例えば、ｇＮＢにｙ値を示唆してもよい。あるいは、組み合わせて、ＷＴＲＵは、値ｙが増減される必要があるかどうかを少なくとも明示してよい。例えば、１ビット（例えば２つを明示した状態）が、このようなインジケーションのために使用されてもよい。例えば、ＷＴＲＵが、明示されたか、構成されたか、または決定された値ｙのトリガされたＣＳＩを測定しない場合、ＷＴＲＵは、ｙ値を増やすリクエストとして見なされ得るすべてのゼロビットを割当上りリンクリソースで送信してもよい。対照的に、ＷＴＲＵが、明示されたｙ値よりも前の少なくとも１つのスロットでトリガされたＣＳＩの測定ができる場合、ＷＴＲＵはｙ値は減じられてよいというインジケーションを送信してもよい。ｙ値を減じるインジケーションは、非周期的ＣＳＩに付随する巡回冗長検査（Cyclic  Redundancy  Check：ＣＲＣ）のスクランブルシーケンスに基づいてもよい。ｙ値を減じるインジケーションは、非周期的ＣＳＩに付随する単一ビット（例えば、０は、ｙ値の変更なし。１は、１個のスロットを減らしてもよい）であってもよい。
【０１６８】
一例では、ＷＴＲＵは、漸増的にＣＳＩ報告を送信してもよい。ＷＴＲＵは、様々な条件に基づいて、ＣＳＩのマルチレベルＣＳＩ報告の使用を決定してもよい。例えば、更新されたＣＳＩ報告が、利用可能でない場合、ＷＴＲＵは、フォローアップである、例えば、即時または遅延フォローアップ更新と共に古いＣＳＩを報告してもよい。一部の例では、ＷＴＲＵは、利用可能なリソースである、例えば正規のトラフィックおよびＣＳＩ報告の両方を含むＣＳＩ報告に適合するＰＵＳＣＨまたはＰＵＣＣＨリソースを有していなくてもよい。ＷＴＲＵは、ＣＳＩ報告コンテンツを複数の伝送にわたって拡張してもよい。
【０１６９】
図８は、ＤＬ−ＵＬ混合スロット構造を用いるシステムの非周期的マルチレベルＣＳＩ報告処理の例８００を示す。マルチレベルＣＳＩ報告処理は、報告のＭ個のレベルを含んでよく、各々は、Δ≧１のとき、その前の報告からΔスロットのオフセットで間隔を置く。オフセットパラメータΔは、ＷＴＲＵ固有構成パラメータでもよい。図８は、Ｍ＝３（３つのレベル）およびオフセット＝１の場合の例示的処理を示す。追加として、ＣＳＩ報告の最後のレベル（Ｍ−１）が、高優先度のトラフィックによってオーバーライドされてよい。第１（レベル）報告タイプおよびその次の（Ｍ−１レベル）報告タイプの様々な組合せについて以下で説明する。
【０１７０】
図８では、非周期的ＣＳＩが、スロットのＤＬパート８０２でトリガされ、伝送されてよい。同じスロットのＵＬパート８０４で、第１レベルＣＳＩが伝送されてよい。次のスロットのＤＬパート８０６が、それに続いてよいが、そのスロットではトリガは受信されない。それにもかかわらず、ＷＴＲＵは、同じスロットの次のＵＬパート８０８で第２レベルＣＳＩを報告してよい。次のスロットのＤＬパート８１０では、また、トリガは受信される必要がない。ＤＬパート８１０に続いて、第３レベルＣＳＩが、そのスロットのＵＬパート８１２で伝送されてよい。
【０１７１】
一例に従って、第１ＣＳＩ報告は、広帯域ＣＱＩのみを含むか、または広帯域ＣＱＩとサブバンドＰＭＩのサブセットとを含んでもよい。残りのまたは次の（例えば、Ｍ−１）報告は、サブバンドＰＭＩの残りのサブセットを含んでもよい。
【０１７２】
別の例に従って、第１ＣＳＩ報告は、（上位層構成の）サブバンドＣＱＩおよび広帯域ＰＭＩ報告でもよい。したがって、第１報告は、広帯域ＰＭＩを含むか、または広帯域ＰＭＩとサブバンドＣＱＩのサブセットとを含んでもよい。残りのまたは次の（例えば、Ｍ−１）報告は、サブバンドＣＱＩの残りのサブセットを含んでもよい。
【０１７３】
別の例に従って、第１ＣＳＩ報告は、（ＷＴＲＵ選択の）サブバンドＣＱＩおよび広帯域ＰＭＩ報告でもよい。したがって、第１報告は、平均のＣＱＩを含むか、広帯域ＣＱＩを含むか、平均ＣＱＩと広帯域ＰＭＩとを含むか、または平均のＣＱＩと広帯域ＰＭＩとサブバンドＣＱＩのサブセットとを含んでもよい。残りのまたは次の（例えば、Ｍ−１）報告は、サブバンドＣＱＩの残りのサブセットを含んでもよい。
【０１７４】
別の例に従って、第１ＣＳＩ報告は、（上位層構成の）サブバンドＣＱＩおよびサブバンドＰＭＩ報告でもよい。したがって、第１報告は、サブバンドＣＱＩのサブセットを含むか、サブバンドＰＭＩのサブセットを含むか、またはそれらの組合せを含んでもよい。残りのまたは次の（例えば、Ｍ−１）報告は、サブバンドＣＱＩおよびＰＭＩの残りのサブセットを含んでもよい。
【０１７５】
最後に、第１ＣＳＩ報告は、（ＷＴＲＵ選択の）サブバンドＣＱＩおよびサブバンドＰＭＩ報告でもよい。したがって、第１報告は、平均のＣＱＩを含むか、平均のＣＱＩとサブバンドＣＱＩのサブセットとを含んでもよい。残りのまたは次の（例えば、Ｍ−１）報告は、サブバンドＰＭＩの残りのサブセットを含んでもよい。
【０１７６】
加えて、利用可能なＰＵＳＣＨリソース量が十分であり、かつＣＳＩ報告が古いＣＳＩを使用することを強制されることがあるようなｙ値が小さい場合、例えば、ＣＳＩ報告の精度を向上させるために、マルチレベルＣＳＩメカニズムが使用されてよい。ＷＴＲＵは、第１レベルＣＳＩ報告を使用して、利用可能な（古い）ＣＳＩ報告を送信してもよい。ＷＴＲＵは、残りのまたは次の（例えば、Ｍ−１）ＣＳＩレベルを使用して、ＣＳＩの更新をしてもよい。
【０１７７】
さらに、オフセットパラメータΔは、例えば、正確な更新を可能にするために、第２ＣＳＩ報告機会が、ＣＳＩ測定機会の後に行われるように構成されてよい。更新は、その前の報告の完全な置換として、または異なる報告の形態で、もしくはこれらの組合せであってよい。
【０１７８】
図９は、一実施形態に従う非周期的マルチレベルＣＳＩ報告処理の別の例９００を示す。特に、図９は、ｉ番目のスロットにおいて非周期的ＣＳＩがトリガされる場合の、Ｍ＝２のレベルの非周期的ＣＳＩメカニズムを示す。ｙ＝０なので、ＷＴＲＵは、以前にＫスロット群において実施された測定に基づいて、同じスロット内で利用可能なＣＳＩ情報を報告する。ｇＮＢがスロット（ｉ＋２）番目での次のＣＳＩ測定機会のタイミングを認識しているので、ＷＴＲＵはΔ＝２を用いて構成される。スロット（ｉ＋２）番目で、直近の測定に基づいてＷＴＲＵはＣＳＩを更新する。図９の例では、ＣＳＩ測定９０２が、（ｉ−ｋ）番目のＤＬスロットで実施された。このＣＳＩ測定は、ｉ番目のスロット９０４が処理されるときに、直近に行われたＣＳＩ測定である。ＷＴＲＵは、ｉ番目のスロットで非周期的ＣＳＩ向けのトリガを受信し、続いて、同じスロット内の次のＵＬパートでＣＳＩ９０６を報告する。この同じスロット報告は、ｙ＝０であることに基づく。次のスロット（ｉ＋１）の間に、ＣＳＩ伝送は行われない。しかし、スロット（ｉ＋２）のＵＬセクションでは、新しいＣＳＩ測定が取得され９０８、かつＣＳＩ伝送９１０が行われる。ＣＳＩ伝送９１０は、ＣＳＩ測定９０２に基づく報告を含む。この場合のΔ＝２の設定は、ＣＳＩとは無関係なＴＸ／ＲＸのためにスロット（ｉ＋１）を使用できるようにするものである。より高いΔ値を選択することにより、ＣＳＩ伝送の頻度を減らすことになる。
【０１７９】
別の例では、１つまたは複数のＣＳＩ報告セットが構成され、非周期的ＣＳＩ報告がトリガされるときに、ＷＴＲＵはＣＳＩ報告セットを用いて明示されてよい。ＣＳＩ報告は、１つまたは複数のＣＳＩ報告インスタンスを含んでもよい。ＣＳＩ報告インスタンス（または各ＣＳＩ報告インスタンス）は、別々の（例えば、異なる）ｙ値に関連付けられてよい。
【０１８０】
表７は、複数のＣＳＩ報告インスタンスを用いるＣＳＩ報告セットの例を示す。この例では、Ｎｓは構成されるＣＳＩ報告セットの数であり、Ｋｓは構成するＣＳＩリソースの数を示してよい。
【０１８１】
【表７】
0006852813.tif 000008
【０１８２】
ＣＳＩ報告セットでは、１つまたは複数のｙ値が使用され、各ｙ値は１つまたは複数のＣＳＩ報告タイプまたは１つまたは複数のＣＳＩ構成に関連付けられてよい。ＷＴＲＵは、ｙ値によって明示される時間位置で、関連するＣＳＩ報告タイプおよびＣＳＩ構成を報告してもよい。ＣＳＩ報告セットのｙ値の数は、ＣＳＩ報告セットインデックスに従って異なってもよい。
【０１８３】
一例では、複数のＣＳＩ−ＲＳリソースが構成されて、ＷＴＲＵが、ＣＲＩである、例えば、複数のＣＳＩ−ＲＳリソースの中の好ましいまたは選択されたＣＳＩ−ＲＳリソース、および関連するＣＳＩ（例えば、ＣＱＩ、ＰＭＩおよび／またはＲＩ）を報告するように明示される場合、ＷＴＲＵは、第１ＣＳＩ報告インスタンス（例えば、ｙ＝０）において、ＣＲＩを報告してよい。ＷＴＲＵは、第２ＣＳＩ報告インスタンス（例えば、ｙ＝１）で、ＣＲＩから明示されることがある選択されたＣＳＩ−ＲＳリソースに対する広帯域｛ＣＱＩ、ＰＭＩまたはＲＩ｝を報告してもよい。ＷＴＲＵは、第３ＣＳＩ報告インスタンス（例えば、ｙ＝２）で、ＣＲＩから明示されることがある選択されたＣＳＩ−ＲＳリソースに対するサブバンドＣＱＩおよび／またはＰＭＩを報告してもよい。
【０１８４】
同じ上りリンクリソースが、ＣＳＩ報告セットの中のすべてのＣＳＩ報告インスタンスのために使用されてよい。あるいは、ＣＳＩ報告インスタンスのスロットインデックスまたは時間位置が、ＣＳＩ報告インスタンス向けの上りリンクリソースを決定してもよい。
【０１８５】
利用可能なＵＬリソースが限られている場合、ＣＳＩ報告サブセット決定が提供されてよく、このＣＳＩ報告サブセット決定は、割り当てられたリソースが十分でないときに、非周期的ＣＳＩ報告のＣＳＩ報告設定のサブセットを選択するのに使用されるプロシージャを含んでもよい。さらに、プロシージャは、ターゲットの符号化速度、利用可能なＲＥ、または、ＰＵＳＣＨ向けにスケジュールされたパラメータを含むサブセットセクションをトリガする条件の評価またはモニタを含んでもい。サブセット選択方法は、優先順位規則、サブバンドの測定されたＣＱＩ、またはＣＳ報告設定のパラメータを含んでもよい。
【０１８６】
より詳細には、ＷＴＲＵは、ＣＳＩ報告設定、リソース設定、およびＣＳＩ報告設定とリソース設定との間のリンクを用いて構成されてよい。図１０は、ＣＳＩ報告設定、リソース設定およびリンクの例示的な構成の別のブロック図を示す。例えば、ＣＳＩ報告設定０  １００２およびＣＳＩ報告設定１  １００４は、非周期的ＣＳＩ報告（ＣＲＩ）および非周期的ＣＳＩ報告（ＰＭＩ／ＣＱＩ／ＲＩ）を用いてそれぞれ構成されてよい。また、リソース設定０  １００６、リソース設定１  １００８、およびリソース設定２  １０１０は、非周期的ＣＳＩ−ＲＳ構成の１番、非周期的ＣＳＩ−ＲＳ構成の２番、非周期的ＣＳＩ−ＲＳ構成の３番を用いてそれぞれ構成されてよい。ＣＳＩ報告設定０  １００２は、リンク０、リンク１、およびリンク２を介して、リソース設定０  １００６、リソース設定１  １００８およびリソース設定２  １０１０とそれぞれリンクされている。ＣＳＩ報告設定１  １００４は、リンク３を介してリソース設定０  １００６に、リンクされている。
【０１８７】
図１０に示すように、１つまたは複数のＣＳＩ報告設定１００２、１００４は、１つまたは複数のリソース設定１００６、１００８、１０１０とリンクされていることがある非周期的ＣＳＩ報告を用いて構成されてよい。１つまたは複数のリソース設定は、非周期的ＣＳＩ−ＲＳ、周期的ＣＳＩ−ＲＳ、半持続的ＣＳＩ−ＲＳ、同期信号およびＰＢＣＨブロック（ＳＳ／ＰＢＣＨブロック）のうちの少なくとも１つであってよい。非周期的ＣＳＩ報告をトリガするためのＤＣＩは、１つまたは複数のＣＳＩ報告設定を明示してよく、ここで、各ＣＳＩ報告設定は、ＣＳＩ報告のための上りリンクリソースを含んでもよい。例えば、１つまたは複数の上りリンクリソースは、ＣＳＩ報告のための候補の上りリンクリソースとして構成されてよい。リンクは、データベース、ビットマップなどを使用して、ＴＲＰまたはＷＴＲＵのメモリ内で構成されてよい。
【０１８８】
例えば、１つまたは複数の短いＰＵＣＣＨ（ｓＰＵＣＣＨ）リソースが構成されてよく、１つまたは複数の短いＰＵＣＣＨリソースはｎ＋ｙスロットに配置されてよい。１つまたは複数のｓＰＵＣＣＨリソースは、異なるＣＳＩ報告タイプに関連付けられてよい。例えば、ＷＴＲＵが、広帯域ＰＭＩ、ＣＱＩおよびＲＩを報告するように構成されるか、または明示される場合、第１ｓＰＵＣＣＨリソースが、広帯域ＰＭＩ報告のために使用されてよく、第２ｓＰＵＣＣＨリソースが、広帯域ＣＱＩのために使用されてよく、第３ｓＰＵＣＣＨリソースがＲＩのために使用されてよい。
【０１８９】
１つまたは複数のｓＰＵＣＣＨリソースは、関連するＤＣＩ内の明確なシグナリングに基づいて、選択され、明示され、または決定されてよい。例えば、ＣＳＩ報告設定のための構成されたｓＰＵＣＣＨリソースの中のｓＰＵＣＣＨリソースインデックスが明示されてよい。もしくは、１つまたは複数のｓＰＵＣＣＨリソースは、関連するＤＣＩ内のスケジューリングパラメータまたはＣＳＩ報告トリガパラメータに基づいて、暗に、選択され、明示され、または決定されてよい。ｓＰＵＣＣＨ、ｌｏｎｇ−ＰＵＣＣＨ（長いＰＵＣＣＨ）またはＰＵＳＣＨリソースのうちの１つまたは複数が、非周期的ＣＳＩ報告のために使用されてよく、ここで、ｓＰＵＣＣＨまたはｌｏｎｇ−ＰＵＣＣＨリソースは、上位層シグナリングを介して構成されてよく、その一方で、ＰＵＳＣＨリソースは関連するＤＣＩ内で、明示され、決定され、スケジュールされてよい。
【０１９０】
例えば、どの上りリンクリソースのタイプが対応するＣＳＩ報告に対して使用することができるかを明示するために、非周期的ＣＳＩ報告をトリガするための関連するＤＣＩ内でビットフラグ（Ｒ＿ｆｌａｇ）が使用されてよい。例えば、Ｒ＿ｆｌａｇが「０」（例えば、「Ｒ＿ｆｌａｇ＝Ｆａｌｓｅ」）に設定される場合、ＰＵＳＣＨリソーススケジューリングのためのビットフィールド（例えば、ＰＲＢ、ＭＣＳレベルなど）が、１つまたは複数のｓＰＵＣＣＨまたはｌｏｎｇ−ＰＵＣＣＨに基づく上りリンクリソースを明示するために使用されてよい。他方では、Ｒ＿ｆｌａｇが「１」（例えば、「Ｒ＿ｆｌａｇ＝Ｔｒｕｅ」）に設定される場合、ＰＵＳＣＨリソーススケジューリングのためのビットフィールドは、トリガされたＣＳＩがその中で報告されてもよいＰＵＳＣＨリソーススケジューリングのために使用されてよい。あるいは、ビットフラグ（Ｒ＿ｆｌａｇ）の代わりにＤＣＩのＲＮＴＩが使用されて、ＰＵＳＣＨリソーススケジューリングのためのビットフィールドが、ＰＵＳＣＨリソーススケジューリングまたはＰＵＣＣＨリソーススケジューリングのために使用されるかどうかを決定してもよい。
【０１９１】
候補の上りリンクリソースタイプが、ＣＳＩ報告設定構成に基づいて限定または決定されてよい。例えば、ＣＳＩ報告設定が、タイプ２のコードブックに基づくサブバンドＰＭＩ報告のようなＣＳＩ報告タイプを含む場合、候補の上りリンクリソースタイプは、ＰＵＳＣＨリソースタイプのみであってよい。ＣＳＩ報告設定が広帯域ＰＭＩ、ＣＱＩ、ＲＩおよびＣＲＩのようなＣＳＩ報告タイプを含む場合、候補の上りリンクリソースタイプは、ｓＰＵＣＣＨ、ｌｏｎｇ−ＰＵＣＣＨ、およびＰＵＳＣＨであってよい。さらに、候補の上りリンクリソースタイプは、リソースセットの数またはリソースセットの中のリソースの数に基づいて決定されてもよい。リソース設定は、Ｓ≧１のリソースセットを用いて構成されてよく、各リソースセットはＫｓ≧１のリソースを用いて構成されてよい。
【０１９２】
非周期的ＣＳＩ報告をトリガするためのＤＣＩは、ＣＳＩ報告設定とリソース設定との間のリンクのうちの１つまたは複数を明示してもよい。例えば、ＷＴＲＵは、図１０に示すリンク０またはリンク３を報告するインジケーションを受信してよいが、この際、リンク０はＣＳＩ報告設定０  １００２とリソース設定０  １００６とをリンクしていて、リンク３は、ＣＳＩ報告設定１  １００４とリソース設定０  １００６とをリンクしている。
【０１９３】
リソース設定は、Ｓ≧１のリソースセットを用いて構成されてよく、ここで、各リソースセットはＫｓ個のリソースを用いて構成されてよい。したがって、Ｓ×Ｋｓ個までのＣＳＩ−ＲＳリソースの測定に基づいて、リソースセットのうち１つが選択されるかＷＴＲＵがＣＲＩを報告する場合に、ＷＴＲＵは、Ｋｓ個のＣＳＩ−ＲＳリソースの測定に基づいてＣＲＩを報告してよい。
【０１９４】
一例では、１つまたは複数の予め定められた、構成された、または明示された条件が満たされるときに、ＷＴＲＵは、関連するＤＣＩでトリガされたＣＳＩ報告設定のサブセットを決定してよい。ＷＴＲＵが１つまたは複数のＣＳＩ報告設定を報告するためにトリガされると、１つまたは複数の条件に基づいて、ＷＴＲＵはトリガされた１つまたは複数のＣＳＩ報告設定を報告することを決定してもよい。
【０１９５】
ＷＴＲＵにＣＳＩ報告設定のサブセットを決定させるトリガ条件は、ＰＵＳＣＨをスケジュールしたいくつかのＲＥ、ＰＵＳＣＨ伝送またはＵＣＩ伝送の符号化速度（または効果的な符号化速度）、ＣＳＩ報告のためのいくつかのパート、スケジュールされたいくつかのＰＲＢ、またはＰＵＳＣＨ伝送のためのいくつかのレイヤのうち少なくとも１つを含んでもよい。
【０１９６】
トリガ条件は、ＰＵＳＣＨをスケジュールしたいくつかのリソースエレメント（Resource  Element：ＲＥ）に基づいてよく、ここで、スケジュールされたＰＵＳＣＨは、１つまたは複数のトリガされたＣＳＩ報告設定を報告するのに使用されてよい。例えば、スケジュールされたＰＵＳＣＨのＲＥの数が閾値より小さい場合、ＷＴＲＵはトリガされたＣＳＩ報告設定のサブセットを報告することを決定してもよい。さらに、ＲＥの数は、参照信号（例えば、ＤＭ−ＲＳ、ＰＴＲＳ、ＳＲＳ）、下りリンクリソース（例えば、スロットのＤＬパート）、ギャップ（例えば、ＵＬとＤＬとの間のギャップ）、またはスケジュールされたリソースの中のＲＥの総数であってもよいＲＥの数のうち少なくとも１つを含まないことがあるＰＵＳＣＨ伝送のための利用可能なＲＥであってもよい。
【０１９７】
トリガ条件は、ＰＵＳＣＨ伝送またはＵＣＩ伝送の符号化速度または効果的な符号化速度に基づいてもよく、この際、符号化速度は、１つまたは複数のＣＳＩ報告設定の符号化されたビットと、１つまたは複数のＣＳＩ報告設定の情報ビットとの割合に基づいて決定されてもよい。例えば、符号化速度が閾値よりも高い場合、ＷＴＲＵはトリガされたＣＳＩ報告設定のサブセットの報告を決定してもよい。さらに、符号化速度は、ＵＣＩの符号化速度に基づいてもよく、ここで、ＵＣＩは、サブセットセクションまたはＷＴＲＵによる決定を伴わないトリガされたＣＳＩ報告設定に基づく基準のＵＣＩであってよい。
【０１９８】
また、トリガ条件は、ＣＳＩ報告のためのいくつかのパートに基づいてよい。例えば、トリガされたＣＳＩ報告設定のうちの１つまたは複数が２つのパートを含み、符号化速度が閾値より高い場合、ＷＴＲＵは、２つのパートを含むトリガされたＣＳＩ報告設定の報告をスキップしてもよく、それと同時に、ＷＴＲＵは、１つのパートを含む１つまたは複数のトリガされたＣＳＩ報告設定を報告してもよい。
【０１９９】
さらに、トリガ条件は、スケジュールしたいくつかのＰＲＢであってもよい。例えば、スケジュールしたいくつかのＰＲＢが閾値より小さい場合、ＷＴＲＵはトリガされたＣＳＩ報告設定のサブセットの報告を決定してもよい。また、トリガ条件は、ＰＵＳＣＨ伝送のためのいくつかのレイヤであってもよい。
【０２００】
トリガされたＣＳＩ報告設定のサブセットは、優先順位規則またはＷＴＲＵの自律的決定に基づいて、ＷＴＲＵによって決定されてよい。例えば、１つのＣＳＩ報告タイプである、例えばＣＲＩを含むＣＳＩ報告設定は、他のＣＳＩ報告タイプである、例えば、ＰＭＩ、ＣＱＩまたはＲＩを含む別のＣＳＩ報告設定よりも高い優先度を有してもよい。別の例では、ビームマネジメントのためのリソース設定に関連付けられたＣＳＩ報告設定は、ＣＳＩ捕捉のための別のリソース設定に関連付けられた別のＣＳＩ報告設定よりも高い優先度を有してもよい。ＷＴＲＵは、他のＣＳＩ報告タイプである、例えば、ＰＭＩ、ＣＱＩまたはＲＩのような、低い優先度のもの向けの１つまたは複数のＣＳＩ報告設定の報告をドロップしてもよい。ＷＴＲＵはまた、ＷＴＲＵが単一のＣＳＩ報告タイプである、例えば、ＣＲＩなどの高優先度のもの向けの１つまたは複数のＣＳＩ報告設定を報告するようにトリガされて、ビームマネジメントを実施するのと同時に、ＣＳＩ捕捉をドロップしてもよい。
【０２０１】
ビームマネジメントのためのＣＳＩ報告設定が、ＣＳＩ報告タイプまたはＣＳＩ−ＲＳタイプに基づいて決定されてよい。例えば、ＣＲＩまたはＬ１参照信号の受信電力（L1  Reference  Signal  Received  Power：Ｌ１−ＲＳＲＰ）が、ＣＳＩ報告設定中に含まれるか、または、関連するＣＳＩ−ＲＳタイプが、ＣＳＩ報告設定のためのビームマネジメントである場合、ＣＳＩ報告設定は、ビームマネジメントのためのＣＳＩ報告設定として考慮または参照されてよい。優先順位規則が、ＣＳＩ報告設定の順序付けに基づいてもよい。例えば、ＣＳＩ報告設定０は、ＣＳＩ報告設定１よりも高い優先度を有してもよい。したがって、ＷＴＲＵは、最後のＣＳＩ報告設定数からＣＳＩ報告設定の必要な数をドロップしてもよく、その逆もあり得る。優先順位規則は、ＣＳＩ報告設定のために含まれるまたは構成されるＣＳＩ報告タイプに基づいてよい。優先順位規則は、上位層シグナリングである、例えば、ＭＡＣ、ＲＬＣまたはＰＤＣＰシグナリングを介して構成されてよい。例えば、各ＣＳＩ報告設定は、優先順位番号を明示してもよい。低い優先順位番号は、より高い優先順位番号より高い優先度を有してもよく、その逆もあり得る。
【０２０２】
ＷＴＲＵの自律的決定に関しては、ＷＴＲＵは、トリガされたＣＳＩ報告設定のサブセットを決定してよく、ここで、トリガされたＣＳＩ報告設定の決定されたサブセットは、ｇＮＢに対して明示されてよい。例えば、トリガされたＣＳＩ報告の選択されたサブセットは、ＵＣＩの一部として明示されてよい。
【０２０３】
別の例では、１つまたは複数の条件が満たされる場合、ＷＴＲＵは、ＣＳＩ報告設定の中のＣＳＩ報告タイプのサブセットを決定してよい。例えば、ランク指標（ＲＩ）、広帯域チャネル品質指標（Wideband  Channel  Quality  Indicator：ＷＢ  ＣＱＩ）、広帯域プリコーディング行列指標（Wideband  Pre-coding  Matrix  Indicator：ＷＢ  ＰＭＩ）、サイドバンドチャネル品質指標（Sideband  Channel  Quality  Indicator：ＳＢ  ＣＱＩ）、サイドバンドプリコーディング行列指標（Sideband  Pre-coding  Matrix  Indicator：ＳＢ  ＰＭＩ）、ＣＳＩ−ＲＳリソース指標（ＣＲＩ）などの１つまたは複数のＣＳＩ報告タイプは、ＣＳＩ報告設定内で構成されてよい。ＷＴＲＵは、ＲＩ、ＣＲＩ、ＷＢ  ＣＱＩ、ＷＢ  ＰＭＩなどのＣＳＩ報告タイプのサブセットの報告を決定してもよい。ＣＳＩ報告タイプのサブセットは、ＣＳＩ報告タイプの優先順位規則に基づいて決定されてよく、ここで、ＲＩ／ＣＲＩは、ＣＱＩおよびＰＭＩよりも高い優先度を有してもよい。加えて、ＷＢ  ＣＱＩ／ＰＭＩは、ＳＢ  ＣＱＩ／ＰＭＩよりも高い優先度を有してもよい。
【０２０４】
別の例では、ＷＴＲＵは、１つまたは複数の条件が満たされる場合に、ＣＳＩ報告設定の中の時間／周波数リソースのサブセットを決定してもよい。例えば、１つまたは複数のサブバンド（Subband：ＳＢ）ＰＭＩ／ＣＱＩ報告がＣＳＩ報告内で構成されてよく、１つまたは複数の条件が満たされる場合、ＷＴＲＵは、サブバンドのサブセットのためのＣＳＩを報告してもよい。
【０２０５】
サブバンドのサブセットは、サブバンドのための測定されたＣＱＩに基づいて決定されてよい。一例では、ＭｓＣＱＩ値が最も高いことがあるベストＭｓサブバンドが、ＷＴＲＵによって選択または決定されてよく、ここで、値Ｍｓは、１つまたは複数の以下で述べるものに基づいて決定されてよい。
【０２０６】
Ｍｓの値は、ＣＳＩ報告のターゲット符号化速度に基づいて決定されてよい。例えば、ＷＴＲＵは、その符号化速度がターゲット符号化速度と等しいか、またはそれよりも低くてもよい最大Ｍｓ値を決定してよく、その最大Ｍｓ値は、上位層シグナリングである、例えばＭＡＣ、ＲＬＣまたはＰＤＣＰシグナリングを介して通知されてよい。ターゲット符号化速度は、関連するＰＵＳＣＨ伝送を選択または明示したＭＣＳレベルに基づいてもよい。ターゲット符号化速度は、非周期的ＣＳＩ報告をトリガするための関連するＤＣＩ内で明示されてよい。
【０２０７】
あるいは、Ｍｓ値は、ＣＱＩ閾値に基づいて決定されてよい。例えば、そのＣＱＩ値がＣＱＩ閾値より小さい１つまたは複数のサブバンドは、ＣＳＩ報告のために報告されないか、またはドロップされてよく、その一方で、そのＣＱＩ値がＣＱＩ閾値を上回る１つまたは複数のサブバンドは、サブバンドのサブセットとして報告または選択されてよい。ＣＱＩ閾値は、上位層シグナリング、関連するＤＣＩ内の指標、または関連するＰＵＳＣＨ伝送のスケジューリングパラメータのうち少なくとも１つに基づいて、構成され、通知され、または決定されてよい。
【０２０８】
一実施形態では、Ｍｓ値は、各サブバンドのデルタＣＱＩ値に基づいて決定されてよく、ここで、デルタＣＱＩ値は、広帯域（Wideband：ＷＢ）ＣＱＩとサブバンド（ＳＢ）ＣＱＩとの差に基づいてもよい。例えば、予め定められた閾値より小さいデルタＣＱＩを有する１つまたは複数のサブバンドは、サブバンドのサブセットとして選択または決定されてよい。サブバンドは、予め定められた規則に基づいて決定されてよい。例えば、１つまたは複数の条件が満たされるときに、偶数のサブバンドのためのＣＳＩが、サブセットとして選択されてもよい。
【０２０９】
図１１は、リクエストされたＣＳＩを報告する方法の例示的なフロー図１１００を示す。図１１に示す例では、ＷＴＲＵは、候補のＣＳＩ報告タイミング値の構成を受信してよい１１０２。タイミング値は（ｋ）で表され、上位層シグナリングを介して、一実施形態では、ＲＲＣシグナリングを介して受信されてよい。次いで、ＷＴＲＵは、スロットｎで非周期的ＣＳＩ報告リクエストおよびＤＣＩ内の報告タイミングを受信する１１０４。ＣＳＩ処理時間が、ＷＴＲＵと通信している少なくとも１つのＴＲＰに対応するｋおよびＴＡに基づいて決定されてよい１１０６。ＷＴＲＵは、決定されたＣＳＩ処理時間に基づいて、サポートされるＣＳＩ報告タイプおよび構成のセットを決定してよい１１０８。ＷＴＲＵは、リクエストされたＣＳＩがサポートされるＣＳＩ構成のセット内で発見されるかどうかを決定してよい１１１０。発見されると決定する場合、ＷＴＲＵは、ｎ＋ｋと表されるスロットにおいて、リクエストされたＣＳＩを報告してもよい１１１４。他方では、リクエストされたＣＳＩが、サポートされたセットの要素ではない場合、ＷＴＲＵは、スロットｎ＋ｋにおいて、ＤＴＸまたはリクエストされたＣＳＩのサブセットを送信する必要がある。ＷＴＲＵは、ＣＳＩ伝送を完全にドロップするか、またはセット内に存在するものに従うサブセットのみを伝送してもよい。
【０２１０】
図１２は、一実施形態に従うフレキシブルなＣＳＩ報告方法の例示的なフロー図１２００を示す。ＷＴＲＵは、候補ＣＳＩ報告タイミング（ｋ）値の構成をｇＮＢから受信してよい１２０２。スロットｎにおいて、ＷＴＲＵは、ｇＮＢによって伝送されたＤＣＩ内の非周期的ＣＳＩ報告リクエストおよびＣＳＩ報告タイミング（ｋ）を受信する１２０４。次に、ＷＴＲＵは、ｋ値とタイミングアドバンス（ＴＡ）に基づいて、ＣＳＩ処理時間（ΔＰ）を決定する１２０６。ＷＴＲＵは、次に、ＣＳＩ処理時間（ΔＰ）に基づいて、サポートされるＣＳＩ報告タイプおよび構成のセットを決定する。ＷＴＲＵが、サポートされるセットでリクエストされたＣＳＩを発見する場合１２１０、ＷＴＲＵは、スロットｎ＋ｋにおいてリクエストされたＣＳＩを報告する１２１４。ＷＴＲＵが、サポートされるセットでリクエストされたＣＳＩを発見しない場合、ＷＴＲＵは、スロットｎ＋ｋにおいて、ＤＴＸまたはリクエストされたＣＳＩのサブセットを送信する１２１２。
【０２１１】
図１３は、閾値の時間間隔と比較して算出されたタイムギャップの長さに基づいて、ＣＳＩを報告するために決定が行われる、さらに別の例示的フロー図１３００を示す。非周期的ＣＳＩリクエストがＰＤＣＣＨで受信されてよい１３０２。受信するとすぐ、ＷＴＲＵは、非周期的ＣＳＩリクエストが受信されたＰＤＣＣＨの最後のシンボルと、対応する非周期的ＣＳＩ報告伝送の最初の上りリンクシンボルとの間の時間ギャップを算出してよい１３０４。ＷＴＲＵは、ＣＳＩ算出を処理することができ、かつＣＳＩが決定される時間の長さに相当する閾値を決定してよい１３０６。ＷＴＲＵは閾値が算出されたタイムギャップよりも短いかどうかを決定してよい１３０８。閾値が算出されたタイムギャップよりも短い場合、ＣＳＩ報告は、コンパイルされて、伝送されてよい１３１０。閾値が算出された期間よりも長い場合、ＷＴＲＵはＣＳＩ報告のドロップ、例えば、ＣＳＩ報告を伝送しないことを決定してもよい１３１２。
【０２１２】
特徴および要素について、特に組合せを上記で記載したが、当業者は各特徴または要素が、単独で、または、他の特徴および要素と組合せで使用されてよいことを理解するであろう。加えて、本明細書記載の方法は、コンピュータまたはプロセッサによる実行のためにコンピュータ可読媒体に組み込まれたコンピュータプログラム、ソフトウェアまたはファームウェアで実装されてよい。コンピュータ可読媒体の例としては、電子信号（有線または無線接続を介して伝送される）およびコンピュータ可読記憶媒体が挙げられる。コンピュータ可読記憶媒体の例としては、読み取り専用メモリ（ＲＯＭ）、ランダムアクセスメモリ（ＲＡＭ）、レジスタ、キャッシュメモリ、半導体記憶装置、内蔵ハードディスクおよび取り外し可能ディスクなどの磁気媒体、光磁気媒体、ならびにＣＤ−ＲＯＭディスクおよびデジタル多用途ディスク（Digital  Versatile  Disk：ＤＶＤ）などの光学式媒体が挙げられるが、これらに限定されない。ソフトウェアと共同するプロセッサを使用して、ＷＴＲＵ、ＵＥ、端末、基地局、ＲＮＣまたは任意のホストコンピュータで用いる無線周波送受信機を実装してもよい。
【図１Ａ】
0006852813.tif 000009
【図１Ｂ】
0006852813.tif 000010
【図１Ｃ】
0006852813.tif 000011
【図１Ｄ】
0006852813.tif 000012
【図２】
0006852813.tif 000013
【図３】
0006852813.tif 000014
【図４】
0006852813.tif 000015
【図５】
0006852813.tif 000016
【図６】
0006852813.tif 000017
【図７】
0006852813.tif 000018
【図８】
0006852813.tif 000019
【図９】
0006852813.tif 000020
【図１０】
0006852813.tif 000021
【図１１】
0006852813.tif 000022
【図１２】
0006852813.tif 000023
【図１３】
0006852813.tif 000024